(57)【要約】【課題】後半を前半より遊技者にとって有利とすることで、後半の最後まで興趣を向上させるとともに、前半と後半との終了条件を異なる種類の条件に変えることで、変化に富んだ遊技をすることが可能な遊技機に関するものである。【解決手段】第１状態と第１状態から移行可能な第２状態とを備え、第１状態は、通常状態と通常状態から移行可能であり通常状態より遊技者に有利な有利状態とを含み、有利状態は、遊技価値を所定の価値分獲得するまで実行可能な前半パートと前半パートの終了後の所定の遊技数を消化するまで実行可能な後半パートとを備え、前半パートでは後半パートで実行可能な遊技数の上乗せが可能であり、後半パートは前半パートより第２状態への移行期待度が高いことを特徴とする。【選択図】図１７
2020036757.tif 000002
【特許請求の範囲】
【請求項１】
少なくとも、第１状態と、前記第１状態から移行可能な第２状態とを備え、
前記第１状態は、通常状態と、当該通常状態から移行可能であり、当該通常状態より遊技者に有利な有利状態とを含み、
前記有利状態は、遊技価値を所定の価値分獲得するまで実行可能な前半パートと、前記前半パートの終了後の所定の遊技数を消化するまで実行可能な後半パートとを備え、
前記前半パートでは、前記後半パートで実行可能な遊技数の上乗せが可能であり、
前記後半パートは、前記前半パートより前記第２状態への移行期待度が高いことを特徴とする遊技機。
【請求項２】
前記第１状態では、所定の条件を満たした場合に前記第２状態中に遊技者に特典を与える期待度の異なる複数段階のステージのうち、前記第２状態へ移行した場合に使用するステージを抽選により決定するステージ抽選が行われることを特徴とする請求項１に記載の遊技機。
【請求項３】
前記第２状態は、所定の遊技区間実行可能であり、当該第２状態中に当該第２状態を継続するか否かの継続抽選を行い、当該継続抽選により当該第２状態を継続することが決定された場合に、次遊技から第３状態に移行し、
前記第３状態では、少なくとも、前記ステージを前記期待度の高いステージへ昇格させるか否かのステージ昇格抽選とが行われ、
前記第３状態終了後、前記ステージ昇格抽選により決定された前記ステージを使用して、前記所定の区間を再設定して当該第２状態を実行されることを特徴とする請求項２に記載の遊技機。
【請求項４】
前記第２状態へ移行する前に、所定の遊技数の特定状態に移行し、当該特定状態で前記継続抽選の継続率の決定を行い、
役抽選によりストップスイッチが予め定められた正解の押し順で操作された場合に成立する役に当選した場合に、当該正解の押し順を遊技者に報知することが不可能な非有利区間と、当該非有利区間から移行可能であり、当該正解の押し順を遊技者に報知することが可能な有利区間とを備え、
少なくとも前記第２状態と前記第３状態とは、前記有利区間に属し、
前記特定状態の所定の遊技数は、前記非有利区間から前記有利区間へ移行後、２回目以降に当該特定状態へ移行してきた場合の方が、初めて前記特定状態へ移行してきた場合よりも短い遊技数が設定されていることを特徴とする請求項３に記載の遊技機。
【請求項５】
前記第２状態中に行われる前記継続抽選により当該第２状態を継続することが決定されず、かつ前記ステージが最下段以外である場合では、前記ステージを１段階降格して当該第２状態を継続するようにしていることを特徴とする請求項３又は４に記載の遊技機。
【請求項６】
前記第２状態に行われる前記継続抽選により当該第２状態を継続することが決定されず、かつ前記ステージが最下段である場合は、前記第２状態を終了し、前記第１状態へ移行するようにしていることを特徴とする請求項３、４又は５に記載の遊技機。
【発明の詳細な説明】
【技術分野】
【０００１】
この発明は、遊技機に関するものである。
【背景技術】
【０００２】
従来、差枚数が所定の枚数を超えた場合に、ＡＴゲームや上乗せの当選確率が低いテーブルに変更してＡＴ抽選や上乗せ抽選を行う遊技機が知られている（特許文献１の段落番号「０１２０」など）。
【先行技術文献】
【特許文献】
【０００３】
【特許文献１】特開２０１５−１１９８８８号公報
【発明の概要】
【発明が解決しようとする課題】
【０００４】
しかし、差枚数が所定の枚数を超えた場合に、当選確率が低い抽選テーブルを使用してＡＴ抽選や上乗せ抽選がされると、遊技者の興趣の低下をもたらし、ＡＴを最後まで楽しめないという問題点があった。
そこで、各請求項にそれぞれ記載された各発明は、上記した従来の技術の有する問題点に鑑みてなされたものであり、その目的とするところは、次の点にある。
【０００５】
すなわち、本発明は、後半を前半より遊技者にとって有利とすることで、後半の最後まで興趣を向上させることが可能な遊技機に関するものである。
また、前半と後半との終了条件を異なる種類の条件に変えることで、変化に富んだ遊技をすることが可能な遊技機に関するものである。
【課題を解決するための手段】
【０００６】
各請求項にそれぞれ記載された各発明は、上記した目的を達成するためになされたものであり、各発明の特徴点を図面に示した発明の実施の形態を用いて、以下に説明する。
本発明に係る遊技機(10)は、少なくとも、第１状態と、前記第１状態から移行可能な第２状態とを備え、前記第１状態は、通常状態と、当該通常状態から移行可能であり、当該通常状態より遊技者に有利な有利状態とを含み、前記有利状態は、遊技価値を所定の価値分獲得するまで実行可能な前半パートと、前記前半パートの終了後の所定の遊技数を消化するまで実行可能な後半パートとを備え、前記前半パートでは、前記後半パートで実行可能な遊技数の上乗せが可能であり、前記後半パートは、前記前半パートより前記第２状態への移行期待度が高いことを特徴とする。
【０００７】
ここで、「第１状態」は、通常行われる通常状態、チャンスゾーン状態、アシストタイム状態やアシストリプレイタイム状態の１態様、などを含むが、これに限定されず、第２状態へ移行可能な状態であれば良い。
「第２状態」には、第１状態とは異なるアシストタイム状態やアシストリプレイタイム状態状態の１態様、などを含むが、これに限定されない。
【０００８】
後半パートを前半パートより遊技者にとって有利とすることで、後半パートの最後まで興趣を向上させることが可能な遊技機(10)を提供することができる。
また、前半パートと後半パートとで終了条件の種類を変えることで、変化に富んだ遊技をすることが可能な遊技機(10)を提供することができる。
【０００９】
また、このように構成することで、前半パートを第２状態への移行期態度の高い状態とし、後半パートを低い状態とした場合に生じうる、「前半パートの終了後は、第２状態への移行期待度の低い遊技が続くことになり、又、後半パートの遊技数の上乗せがされた場合は、より第２状態への移行期態度が低い遊技が長くなり、後半パートにおける遊技者の興趣の低下をもたらすことになる」、という問題が発生することを防止することが可能となる。
また、同様に、前半パートを所定の遊技数を消化するまで実行可能とし、後半パートを遊技価値を所定の価値分獲得するまで実行可能とした場合に生じうる、「後半パートの役抽選の結果によっては後半パートの長さの差が大きくなりすぎてしまい遊技のバランスが崩れる」、という問題が発生することを防止することが可能となる。
【００１０】
また、本発明に係る遊技機(10)の具体例としては、さらに、前記第１状態では、所定の条件を満たした場合に前記第２状態中に遊技者に特典を与える期待度の異なる複数段階のステージのうち、前記第２状態へ移行した場合に使用するステージを抽選により決定するステージ抽選が行われることを特徴とする。
【００１１】
ここで、「特典」には、役抽選によりストップスイッチが予め定められた正解の押し順で操作された場合に成立する役に当選した場合に、当該正解の押し順を遊技者に報知することを含むが、これに限定されず、遊技者にメダルが払い出されることや、特別な演出が視認可能となるなど、遊技者に利益となるものであれば、種類を問わない。
【００１２】
これにより、第２状態に移行する前に、第２状態へ移行した場合に使用するステージを決定しておくことができ、第２状態が始まる前から、興趣を向上させることが可能な遊技機(10)を提供することができる。
かかる効果を奏するために、決定されたステージを遊技者に報知するようにしても良い。
【００１３】
また、本発明に係る遊技機(10)の具体例としては、さらに、前記第２状態は、所定の遊技区間実行可能であり、当該第２状態中に当該第２状態を継続するか否かの継続抽選を行い、当該継続抽選により当該第２状態を継続することが決定された場合に、次遊技から第３状態に移行し、前記第３状態では、少なくとも、前記ステージを前記期待度の高いステージへ昇格させるか否かのステージ昇格抽選とが行われ、前記第３状態終了後、前記ステージ昇格抽選により決定された前記ステージを使用して、前記所定の区間を再設定して当該第２状態を実行されることを特徴とする。
【００１４】
ここで、「第３状態」には、第１状態と第２状態とは異なるアシストタイム状態やアシストリプレイタイム状態状態の１態様、などを含むが、これに限定されず、「第２状態」において行われる継続抽選に当選することで移行する状態であれば良い。
【００１５】
これにより、第２状態を継続することが決定された場合は、移行した第３状態でステージを昇格させることが可能となり、第３状態でも単に第２状態へ戻るまでのつなぎの状態ではなく、興趣に富んだ遊技をさせることが可能な遊技機(10)を提供することができる。
【００１６】
また、本発明に係る遊技機(10)の具体例としては、さらに、前記第２状態へ移行する前に、所定の遊技数の特定状態に移行し、当該特定状態で前記継続抽選の継続率の決定を行い、役抽選によりストップスイッチが予め定められた正解の押し順で操作された場合に成立する役に当選した場合に、当該正解の押し順を遊技者に報知することが不可能な非有利区間と、当該非有利区間から移行可能であり、当該正解の押し順を遊技者に報知することが可能な有利区間とを備え、少なくとも前記第２状態と前記第３状態とは、前記有利区間に属し、前記特定状態の所定の遊技数は、前記非有利区間から前記有利区間へ移行後、２回目以降に当該特定状態へ移行してきた場合の方が、初めて前記特定状態へ移行してきた場合よりも短い遊技数が設定されていることを特徴とする。
これにより、２回目以降に移行してきた場合に遊技数が長いと、遊技者の興趣を低下させる要因となる可能性も有り、かかる遊技者の興趣の低下を防止することが可能な遊技機(10)を提供することができる。
【００１７】
また、本発明に係る遊技機(10)の具体例としては、さらに、前記第２状態中に行われる前記継続抽選により当該第２状態を継続することが決定されず、かつ前記ステージが最下段以外である場合では、前記ステージを１段階降格して当該第２状態を継続するようにしていることを特徴とする。
これにより、第２状態を継続することが決定されなかった場合であっても、当該第２状態で与えられる特典の期待度に関連するステージが最下段以外である場合は、第２状態を継続することが可能となり、第２状態での特典と、第２状態の継続とがリンクすることで、遊技者の興趣を向上させることが可能な遊技機(10)を提供することができる。
【００１８】
また、本発明に係る遊技機(10)の具体例としては、さらに、前記第２状態に行われる前記継続抽選により当該第２状態を継続することが決定されず、かつ前記ステージが最下段である場合は、前記第２状態を終了し、前記第１状態へ移行するようにしていることを特徴とする。
これにより、第２状態のステージが最下段であっても、第２状態で行われる継続抽選に注目させて、遊技者をハラハラドキドキさせることが可能な遊技機(10)を提供することができる。
【図面の簡単な説明】
【００１９】
【図１】本発明の実施の形態であって、遊技機の概略正面図である。
【図２】本発明の実施の形態であって、回転リールの図柄の配列を説明するための説明図である。
【図３】本発明の実施の形態であって、遊技機の入力、制御及び出力を示すブロック図である。
【図４】本発明の実施の形態であって、図３のメイン制御基板の詳細を説明するための概略ブロック図である。
【図５】本発明の実施の形態であって、図３のサブ制御基板の詳細を説明するための概略ブロック図である。
【図６】本発明の実施の形態であって、ボーナス移行役の構成を示す説明図である。
【図７】本発明の実施の形態であって、リプレイ役の構成を示す説明図である。
【図８】本発明の実施の形態であって、小役の構成を示す説明図である。
【図９】本発明の実施の形態であって、図８に続く小役の構成を示す説明図である。
【図１０】本発明の実施の形態であって、図９に続く小役の構成を示す説明図である。
【図１１】本発明の実施の形態であって、ボーナス移行役を含む当選役グループを示す説明図である。
【図１２】本発明の実施の形態であって、リプレイ役と小役とを含む当選役グループを示す説明図である。
【図１３】本発明の実施の形態であって、図１２に続くリプレイ役と小役とを含む当選役グループを示す説明図である。
【図１４】本発明の実施の形態であって、遊技状態毎の抽選対象となる当選役グループの説明図である。
【図１５】本発明の実施の形態であって、遊技状態毎の有利区間移行抽選の抽選対象となる当選役グループの説明図である。
【図１６】本発明の実施の形態であって、図３のメイン制御基板側で管理している遊技の状態の説明図である。
【図１７】本発明の実施の形態であって、有利区間の状態の説明図である。
【図１８】本発明の実施の形態であって、遊技の流れを説明するためのフローチャートである。
【発明を実施するための形態】
【００２０】
（遊技機10）
本明細書では、各説明箇所において、方向についての定義等が示されていない場合には、遊技機10の方を向いて位置している遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００２１】
本実施の形態に係る遊技機10としてのスロットマシンを、以下、図１、図３を参照しながら説明する。本実施の形態に係る遊技機10としてのスロットマシンは、前面側が開放され、他の面を板状態で形成される直方体状の筐体12と、この筐体12の前面側を開閉可能に覆う前扉14とを備えている。
【００２２】
（回転リール62）
前扉14の上部には、薄板樹脂からなる上パネル20を備えている。この上パネル20の略中央には、３個の回転リール62（正面から向かって左側の左回転リール64、中央の中回転リール66、右側の右回転リール68）の円周上の図柄61を見ることができる透過可能な図柄表示窓部16が形成されている。この図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、複数の図柄61を図柄表示窓部16を介して変動表示可能なものである。
【００２３】
（リールユニット60）
前記図柄表示窓部16の後方向（奥方向）には、３個のリール駆動モータ65と、この各リール駆動モータ65によってそれぞれ回転させられる合計３個の前記回転リール62と、前記リール駆動モータ65及び前記回転リール62を保持するユニットホルダ（図示せず）とを有するリールユニット60が配置されている。また、リールユニット60には、回転リール62の回転位置が基準となる位置（基準位置）であることを検出するためリール位置センサ63が設けられている。このリール駆動モータ65は、メイン制御基板200から出力されるリール駆動モータ65を駆動するための駆動信号に基づき駆動する。さらに、リールユニット60には、回転リール62上の図柄61を照らすためのバックランプ67が設けられている。
【００２４】
（クレジット表示器87、払出枚数表示器88）
前記図柄表示窓部16の下方には、クレジットメダルの貯留枚数を表示するクレジット表示器87と、このクレジット表示器87の左側に配置され、遊技機10から払い出されたメダルの総数を表示する払出枚数表示器88とが設けられている。これらの表示器は、例えば２個の７セグメントＬＥＤで構成されており、クレジット表示器87は２桁の貯留枚数、払出枚数表示器88は２桁の払出枚数が表示可能になっている。
また、払出枚数表示器88は、後述する「有利区間」において、ストップスイッチ50の操作態様（押し順）を報知するようにしている。
【００２５】
（区間報知ランプ90）
また、図柄表示窓部16の下方には、後述する「有利区間」に移行したことを契機にメイン制御基板200により点灯される区間報知ランプ90が設けられている。
この区間報知ランプ90は、押し順報知の状態が「有利区間」である間は常時点灯されており、「非有利区間」に移行したことを契機にメイン制御基板200により消灯される。
【００２６】
なお、本実施の形態にかかる区間報知ランプ90は、「有利区間」である間、常時点灯するものであるが、これに限らず、有利区間中において、有利区間に移行してから、所定の出玉率を超え、かつ、ストップスイッチ50の押し順が表示されるまでの任意の契機で点灯するようにしても良い。
【００２７】
ここで、区間報知ランプ90の点灯制御は、メイン制御基板200に搭載されている制御手段により制御されることが望ましく、有利区間を制御する有利区間制御手段260により実行する、或いは、当該点灯制御を実行する専用の区間報知制御手段を設けて実行する、ことが可能である。
【００２８】
（操作部30）
前記前扉14の下部には下パネル22が設けられている。そして、前扉14には下パネル22の上部に位置して前扉14の前方向へ向けて突出する操作部30を備えている。
本実施の形態に係る遊技機10には、遊技開始の条件として投入するためのメダルを後述するメダル投入口38からあらかじめ投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
前記操作部30の上面右側には、遊技媒体としてのメダルを投入するためのメダル投入口38が設けられている。
【００２９】
（メダルセレクタ17）
筐体12内部であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検出する投入センサ92が設けられている。
【００３０】
なお、筐体12内部には図示しないメダル通路が設けられており、メダルセレクタ17において非正規のメダルとして排除されたメダルや、ホッパーユニット24から払い出されたメダルが、このメダル通路を通過してメダル払出口28から払い出される。
【００３１】
（精算スイッチ36）
メダル投入口38の下方には、クレジット機能によりクレジットしたメダルの全てを払い出すための精算スイッチ36が設けられている。
【００３２】
（ストップスイッチ50）
前記操作部30の中央には、操作により対応する回転リール62の回転を停止させるため、３個の回転リール62のそれぞれに対応する３個のストップスイッチ50が設けられている。このストップスイッチ50は、左回転リール64を停止させるための左ストップスイッチＬと、中回転リール66を停止させるための中ストップスイッチＣと、右回転リール68を停止させるための右ストップスイッチＲと、を有している。すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００３３】
（スタートスイッチ40）
このストップスイッチ50の左側には、メダルの投入又は後述するベットスイッチ32の操作を条件に回転リール62の回転を開始させるためのスタートスイッチ40が設けられている。すなわち、このスタートスイッチ40は、遊技者の操作により回転リール62の図柄61の変動表示を開始させるためのものである。
【００３４】
（ベットスイッチ32）
このスタートスイッチ40の上方には、貯留されたクレジットメダルから投入されたメダル数（クレジットされたメダル数）から最大投入枚数（具体的には２枚又は３枚）に達するまで投入可能なメダル数を減じて２枚又は３枚のメダル投入に代えるマックスベットスイッチ34と、クレジットしたメダル数から１枚のメダル数を減じて１枚のメダル投入に代えるシングルベットスイッチ35とが設けられている。
【００３５】
（演出用ボタンスイッチ42）
マックスベットスイッチ34の右側には、所定の演出において遊技者が操作可能な演出用ボタンスイッチ42が設けられている。
前記前扉14の裏側には、扉開閉用スイッチ19、設定変更スイッチ46、設定表示器89などが配置されている。
【００３６】
（扉開閉用スイッチ19）
扉開閉用スイッチ19は前扉14が閉じているか否かを検知するためのものである。この扉開閉用スイッチ19は、前扉14が閉塞している場合に、前扉14の背面と扉開閉用スイッチ19の前面とが押圧されることでオンとなり、前扉14が開放するに従って、前扉14の背面が扉開閉用スイッチ19の前面から離間して押圧が解除されることでオフとなる。
【００３７】
（設定変更スイッチ46）
設定変更スイッチ46は、後述する電源ユニット43の設定キースイッチ45と共に設定変更を行うためのものである。
【００３８】
（設定表示器89）
設定表示器89は、例えば７セグメントの小型のＬＥＤにより、大当り確率の設定値を表示するものである。設定表示器89には、当該遊技機10の設定値が表示されるが、外部から視認できないようにすべく、設定後一定時間が経過するとその表示は解除される。
【００３９】
前記前扉14の下部に相当する筐体12の内部には、メダルを貯留することができるとともに、メダルを払い出すことができるホッパーユニット24と、電源投入又は電源遮断のための操作が可能な電源スイッチ44を有すると共に各部品に電力を供給するための電源ユニット43とが配置されている。
【００４０】
（ホッパーユニット24）
このホッパーユニット24には、メダルセレクタ17から流下した正規のメダルを貯留するメダルタンク（図示せず）と、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出してメイン制御基板200へ信号を出力するオーバーフローセンサ96とが設けられている。
【００４１】
（電源ユニット43）
この電源ユニット43には、電源投入又は電源遮断のための操作が可能な電源スイッチ44と、設定変更処理のための設定キースイッチ45とが設けられている。
【００４２】
（メダル払出口28等）
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００４３】
（遊技の流れの説明）
本実施の形態に係る遊技機10は、マックスベットスイッチ34やシングルベットスイッチ35等の操作又はメダル投入により所定枚数のメダルを投入することにより遊技の開始を可能とするものである。そして、スタートスイッチ40の押下操作により、回転リール62の回転を開始させて遊技が開始されるとともに、複数の役のいずれかに当選か又はハズレかの役抽選が行われる。そして、当該遊技機10は、各回転リール62に対応するストップスイッチ50の操作タイミング及び役抽選の結果に基づいて、回転リール62の回転を役抽選の結果に適合するように停止させる。当該遊技機10は、停止時の図柄61の組み合わせによって、当選した役を構成する図柄61の組み合わせが所定の有効なライン（所定の役の図柄61の組み合わせが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００４４】
この有効ライン86は、具体的には３個の回転リール62にそれぞれ表示されている図柄61のうち図柄表示窓部16から視認可能な図柄61を各回転リール62につき１個ずつ繋いでできる、複数の回転リール62の全てを貫くライン（途中で折れ曲がりも可）のうち、入賞等するために有効となる図柄61の組み合わせの並びを規定したラインである。このラインは、規定の賭け数（予め定められた数であって本実施の形態では２又は３）のメダルをベットすることにより有効ライン86になる。
【００４５】
ここで、規定の賭け数（規定数）は、後述するが、遊技状態（図１６参照）に応じて規定の賭け数が変動する場合がある。
【００４６】
本実施の形態の有効ライン86は、左回転リール64、中回転リール66の中段と、右回転リール68の下段とを結んだライン、の１本である。
なお、有効ライン86として、１ラインを示したが、これに限定されず、２〜５ライン、或いはＶ字形や山形を含めて６ライン以上としても良い。
また、遊技状態（図１６参照）や投入枚数を問わず１ラインとしたが、これに限定されず、遊技状態や投入枚数で有効ラインの数を変えるようにしても良い。
【００４７】
また、図２に示すように、左回転リール64、中回転リール66、右回転リール68の表面には、「白セブン」、「赤セブン」、「バー１」、「バー２」、「チェリー」、「スイカ」、「リプレイ」、「ベル」、「ブランク」などの複数の種々の図柄61が形成されている。
これらの図柄61は、それぞれの絵柄がプリントされたテープを回転リール62の外周表面に貼付することで形成されている。
【００４８】
（演出装置70）
前記前扉14と前記筐体12には、遊技者に役抽選の当選等の種々の情報を音や光や映像等で報知させるための演出装置70が形成されている。この演出装置70は、スピーカー72と、演出用ランプ78、表示装置84とを備えている。
【００４９】
（スピーカー72）
前記スピーカー72は、前扉14の上部左右に配置された上部スピーカー74と、前扉14の下部左右に配置された下部スピーカー76とを備えている。
【００５０】
（演出用ランプ78）
前記演出用ランプ78は、前扉14の上部に配置された上部ランプ80と、前扉14の下部の左右に配置された下部ランプ82とを備えている。
【００５１】
（表示装置84）
前記表示装置84は、その画面に種々の映像を表示し、演出内容を表示可能な液晶表示装置である。
なお、表示装置84を用いて行われる種々の演出を液晶表示装置以外の表示装置、例えば、ドット表示器や、演出用の回転リールや、ランプなどを用いて行うようにしても良い。
【００５２】
（制御装置100）
図３に示すように、遊技機10の内部には、遊技機10の全体の動作を制御するための制御装置100が形成されている。この制御装置100は、主制御装置の一例であり遊技を進行させて遊技状態を制御するメイン制御基板200（メイン制御手段ともいう）と、このメイン制御基板200からの情報（コマンド）を受けて、遊技の進行に応じた演出を制御し、主に遊技内容に関する情報を遊技者に報知する演出を行うための制御を行うサブ制御基板300（サブ制御手段ともいう）とを備えている。
【００５３】
なお、メイン制御基板200とサブ制御基板300との間は、メイン制御基板200への不正操作を防止するために、メイン制御基板200からサブ制御基板300への一方向の通信により行われ、サブ制御基板300からメイン制御基板200への逆方向の通信は行われていない（すなわち双方向の通信ではない）。メイン制御基板200は、スタートスイッチ40、ストップスイッチ50、ベットスイッチ32、精算スイッチ36の入力を受け付け、役抽選を行い、リールユニット60及びホッパーユニット24の作動を制御する。サブ制御基板300は、メイン制御基板200から信号を入力し、表示装置84等の演出装置70の作動を制御する。サブ制御基板300の出力側には、演出装置70としての表示装置84、スピーカー72、演出用ランプ78の各パーツが接続されている。
【００５４】
なお、特に図示していないが、メイン制御基板200を有するメイン基板と、サブ制御基板300を有するサブ基板とは、それぞれ専用の基板ケースの内部に収納されている。具体的には、メイン制御基板200は、メイン基板ケースの内部に収納され、サブ制御基板300は、サブ基板ケースの内部に収納されている。そして、メイン基板ケースは、筐体12内部の奥側の上部に固定され、サブ基板ケースは、筐体12内部の正面から向かって左側に固定されている。
【００５５】
メイン制御基板200及びサブ制御基板300は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００５６】
（外部集中端子板18）
また、筐体12内部の正面から向かって右側には、外部集中端子板18が設けられている。
外部集中端子板18は、遊技データを遊技機10外部に出力させるものであり、メイン制御基板200と配線される接続端子（コネクタ）や、外部機器（図示省略）と配線される接続端子（コネクタ）が設けられた端子板である。また、外部集中端子板18は、図示しないが、データ表示器などの遊技島設備やホールコンピュータに接続されている。
【００５７】
（メイン制御基板200）
メイン制御基板200は、図４に示すように、役抽選手段210、リール制御手段220、停止図柄判定手段230、払出制御手段240、遊技制御手段250、有利区間制御手段260及び送信手段270の各手段を有する。各手段の詳細については後述する。なお、有利区間制御手段260は、メイン制御基板200ではなく、サブ制御基板300が有しても良いし、又、メイン制御基板200とサブ制御基板300との両方に分けて有するようにしても良い。
【００５８】
以上の構成をもって、メイン制御基板200は、役の抽選を行い、回転リール62の回転及び停止を制御し、回転リール62がすべて停止したときに停止図柄61の判定を行い、遊技の進行を行う手段として機能することとなる。
メイン制御基板200は、遊技を制御するためのものであって、遊技を進行させるためのものである。以下、本実施の形態における遊技について説明する。
【００５９】
上述したように、遊技状態に応じて規定の賭け数が設定されると、有効ライン86（図１参照）が設定される。
賭け数を設定する方法には、メダル投入口38からメダルを投入する方法と、ベットスイッチ32を操作することによってクレジットメダルを賭け数として設定する方法とがある。そして、規定の賭け数（２枚又は３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（本実施の形態では、４．１秒）が経過しているか否かが判定され、所定の時間が経過すると、３個すべての回転リール62の回転が開始する。
【００６０】
回転リール62の回転開始後、所定の条件（本実施の形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
【００６１】
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
このとき、有効ライン86上に所定の図柄61の組み合わせが揃うと、当該図柄61の組み合わせに対応した処理が行われる。本実施の形態に係る遊技機10は、有効ライン86上に予め定められた図柄61の組み合わせが揃うと遊技者に利益が付与されるように形成されている。例えば小役に対応した図柄61の組み合わせが有効ライン86上に揃うと、小役に対応した枚数のメダルが遊技者に対して付与される。
【００６２】
役抽選の当選確率は、複数段階、本実施の形態では、６段階（設定値１（ＳＥＴ１）〜設定値６（ＳＥＴ６））設定されており、設定値によって当選確率の差がある役については、設定値１が最も低く、設定値６が最も高くなるように設定されている。
なお、設定値の段階は、６段階に限定されず、６段階未満の段階や７段階以上であっても良い。
【００６３】
また、有効ライン86上に再遊技役（リプレイ役）に対応する図柄61の組み合わせが揃うと、メダルの払い出しはないものの、次回の遊技において遊技者所有のメダルを使用することなく賭け数が自動的に設定され遊技を行うことができる。
【００６４】
（役抽選手段210）
役抽選手段210は、役に当選するか否かの役抽選を実行するものである。そして、役抽選において決定された役を当選役ともいう。すなわち、役抽選手段210は、メイン制御基板200が備える手段であり、スタートスイッチ40の操作を契機に、複数段階の設定値毎に予め定められた抽選確率で役に当選するか否かの役抽選を行うためのものである。
【００６５】
役抽選手段210は、役に当選したか否かを決定するための抽選テーブルを、主な分類としてノーマル遊技状態用、ボーナス内部中状態用、ボーナス遊技状態用のそれぞれに対応して複数備えており、メイン制御基板200のＲＯＭ上に記憶されている。
【００６６】
役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。なお、役抽選手段210による処理は、後述するステップS11（図１８参照）において行われる。
【００６７】
本実施の形態では、役抽選手段210により抽選される役として、図６〜図１０に示すように、大別すると、ボーナス移行役（遊技状態の移行を伴う役）、リプレイ役（遊技者所有のメダルを使用することなく次回の遊技を開始可能とする役、いわゆる再遊技役）、小役（メダルの払い出しを伴う役）が設けられている。
【００６８】
つぎに、図６〜図１０に示すように、役抽選手段210により抽選される役の種類と図柄の組み合わせについて説明する。
なお、役抽選手段210により抽選される役の種類と図柄61の組み合わせについては、図６〜図１０に示すものに限定されない。
【００６９】
例えば、図６に示すように、ボーナス移行役として、左回転リール64、中回転リール66、右回転リール68の順（以下同様）に「白セブン  白セブン  バー１」の図柄61の組み合わせのＲＢＢ１、「白セブン  赤セブン  バー１」の図柄61の組み合わせのＲＢＢ２、「白セブン  バー１  バー１」の図柄61の組み合わせのＲＢＢ３、「白セブン  バー２  バー１」の図柄61の組み合わせのＲＢＢ４、「赤セブン  白セブン  バー１」の図柄61の組み合わせのＲＢＢ５、「赤セブン  赤セブン  バー１」の図柄61の組み合わせのＲＢＢ６、が設けられている。
【００７０】
また、図７に示すように、リプレイ役（再遊技役）として、例えば、「リプレイ  リプレイ  白セブン」の図柄61の組み合わせのＲＰ＿１や、「リプレイ  リプレイ  赤セブン」の図柄61の組み合わせのＲＰ＿２、「リプレイ  リプレイ  ベル」の図柄61の組み合わせのＲＰ＿１５、「リプレイ  バー２  ベル」の図柄61の組み合わせのＲＰ＿１６、などが設けられている。
【００７１】
また、図８に示すように、小役（入賞役）の押し順正解役として、「リプレイ  スイカ  リプレイ」の図柄61の組み合わせのＡＴ＿１、「リプレイ  ベル  ベル」の図柄61の組み合わせのＡＴ＿２、「スイカ  ベル  ベル」の図柄61の組み合わせのＡＴ＿６、などが設けられている。
【００７２】
また、図８に示すように、小役（入賞役）のスイカとして、「ベル  白セブン  チェリー」の図柄61の組み合わせのＷＭ＿１、「ベル  赤セブン  チェリー」の図柄61の組み合わせのＷＭ＿２、「ブランク  ベル  スイカ」の図柄61の組み合わせのＷＭ＿８、などが設けられている。
【００７３】
また、図８に示すように、小役（入賞役）の変則チェリーとして、「バー１  チェリー  リプレイ」の図柄61の組み合わせのＣＨ＿１、「バー２  チェリー  リプレイ」の図柄61の組み合わせのＣＨ＿２、「スイカ  チェリー  リプレイ」の図柄61の組み合わせのＣＨ＿３、が設けられている。
【００７４】
また、図８に示すように、小役（入賞役）の弱チェリーとして、「バー１  チェリー  チェリー」の図柄61の組み合わせのＣＨＬ＿１、「バー２  チェリー  チェリー」の図柄61の組み合わせのＣＨＬ＿２、「スイカ  ベル  チェリー」の図柄61の組み合わせのＣＨＬ＿１５、などが設けられている。
【００７５】
また、図８に示すように、小役（入賞役）の強チェリーとして、「スイカ  チェリー  チェリー」の図柄61の組み合わせのＣＨＨ＿１、「バー１  チェリー  白セブン」の図柄61の組み合わせのＣＨＨ＿２、「スイカ  ベル  バー２」の図柄61の組み合わせのＣＨＨ＿１３、などが設けられている。
【００７６】
また、図８に示すように、小役（入賞役）の滑らないチャンス目として、「リプレイ  白セブン  ベル」の図柄61の組み合わせのＳＰＡ＿１、「リプレイ  赤セブン  ベル」の図柄61の組み合わせのＳＰＡ＿２、「リプレイ  チェリー  リプレイ」の図柄61の組み合わせのＳＰＡ＿３、が設けられている。
【００７７】
また、図８に示すように、小役（入賞役）の滑るチャンス目として、「ベル  バー２  スイカ」の図柄61の組み合わせのＳＰＢ＿１、「ブランク  スイカ  スイカ」の図柄61の組み合わせのＳＰＢ＿２、が設けられている。
【００７８】
また、図９に示すように、小役（入賞役）として、「リプレイ  白セブン  チェリー」の図柄61の組み合わせのＡＴＬ＿１、「白セブン  リプレイ  白セブン」の図柄61の組み合わせのＡＴＣ＿１、「バー２  スイカ  赤セブン」の図柄61の組み合わせのＡＴＣ＿４０、などが設けられている。
【００７９】
また、図１０に示すように、小役（入賞役）として、「バー１  白セブン  ベル」の図柄61の組み合わせのＡＴＲ＿１、「バー１  赤セブン  ベル」の図柄61の組み合わせのＡＴＲ＿２、「ベル  バー２  ベル」の図柄61の組み合わせのＡＴＲ＿４０、などが設けられている。
【００８０】
また、図１０に示すように、小役（入賞役）として、「ベル  チェリー  白セブン」の図柄61の組み合わせのＯＮＥ＿１、「ベル  チェリー  赤セブン」の図柄61の組み合わせのＯＮＥ＿２、「ブランク  チェリー  リプレイ」の図柄61の組み合わせのＯＮＥ＿３０、などが設けられている。
【００８１】
そして、図８〜図１０に示すように、小役（入賞役）のうち、押し順正解役であるＡＴ＿１〜ＡＴ＿６が１０枚の払い出しが得られる役であり、スイカであるＷＭ＿１〜ＷＭ＿８が３枚の払い出しが得られる役であり、その他が１枚のメダルの払い出しが得られる役である。
【００８２】
つぎに、同様に図１１〜図１３を用いて、当選役グループについて説明する。
なお、当選役グループについては、図１１〜図１３に示すものに限定されない。
図１１〜図１３は、予め定められた複数種類の当選役グループを示し、各当選役グループは、１つの役又は複数の役の組み合わせから構成される。
【００８３】
そのため、当選役グループが複数の役から構成されている場合は、当選役グループの複数の役に同時に当選（重複して当選）していることとなる。
そして、本実施の形態では、役抽選手段210は、役抽選により図１１〜図１３に示すいずれかの当選役グループが当選するか否かを決定している。
【００８４】
図１１に示すように、ボーナス移行役が含まれる当選役グループには、ＲＢＢ１が当選する「ＲＢＢ１」、ＲＢＢ２が当選する「ＲＢＢ２」、ＲＢＢ３が当選する「ＲＢＢ３」、ＲＢＢ４が当選する「ＲＢＢ４」、ＲＢＢ５が当選する「ＲＢＢ５」、ＲＢＢ６が当選する「ＲＢＢ６」が設けられている。
【００８５】
図１２に示すように、当選役グループ「ＨＺ」（ハズレ）は、他のいずれの当選役グループも当選しなかった場合を示している。
【００８６】
図１２に示すように、リプレイ役が含まれる当選役グループには、ＲＰ＿１〜ＲＰ＿１４が当選する「ＮＸＰ１」、ＲＰ＿１〜ＲＰ＿１４、ＲＰ＿１５、ＲＰ＿１６が当選する「ＮＸＰ２」、が設けられている。
【００８７】
図１２、図１３に示すように、小役が含まれる当選役グループには、ＣＨ＿１〜ＣＨ＿３（変則チェリー）、ＣＨＬ＿１〜ＣＨＬ＿１５（弱チェリー：図８参照）が当選する「ＮＣＨ」、ＣＨ＿１〜ＣＨ＿３（変則チェリー：図８参照）、ＣＨＨ＿１〜ＣＨＨ＿１３（強チェリー：図８参照）が当選する「ＨＣＨ」、ＷＭ＿１〜ＷＭ＿８（スイカ：図８参照）が当選する「ＷＭ」、ＡＴ＿１〜ＡＴ＿６（押し順正解役：図８参照）が当選する「ＰＺ」、ＷＭ＿１〜ＷＭ＿８（スイカ）、ＡＴ＿１〜ＡＴ＿６（押し順正解役：図８参照）、ＡＬＬ２（払出枚数が１枚の役全部）が当選する「ＡＬＬ１」、ＡＴ＿１、ＡＴＬ＿１、ＡＴＬ＿２、ＡＴＣ＿１〜ＡＴＣ＿４、ＡＴＲ＿１〜ＡＴＲ＿４、ＯＮＥ＿１〜ＯＮＥ＿６が当選する「ＡＴＡ１」、などが設けられている。
【００８８】
ここで、例えば、当選役グループ「ＡＴＡ１」は、ストップスイッチ50の押し順によって成立（入賞）する役が異なるものであり、ストップスイッチ50の押し順が正解の場合にＡＴ＿１が成立（入賞）する押し順役であり、押し順が正解した場合は、メダルが１０枚払い出され、押し順に不正解の場合は、他の役が成立（入賞）してメダルが１枚払い出される（図９、図１０参照）。
なお、図１２及び図１３における「ＬＣＲが正解でＡＴ＿１」などの表記は、当選役グループ「ＡＴＡ１」に当選した場合は、ストップスイッチ50の押し順の正解がＬＣＲ、すなわち、左ストップスイッチＬ、中ストップスイッチＣ、右ストップスイッチＲの順であり、当該正解の押し順でストップスイッチ50が操作された場合にＡＴ＿１が成立（入賞）する旨を表すものである。
【００８９】
なお、役抽選において複数の当選役グループに同時に当選する当選役グループが設定されていても良い。
【００９０】
つぎに、図１４を用いて、遊技状態毎に抽選される当選役グループについて説明する。
図１４に示すように、各当選役グループは、遊技状態（図１６参照）と投入枚数とに応じて、役抽選手段210による役抽選が行われるか否かが設定されている。
【００９１】
図１４（Ａ）は、遊技者がマックスベットスイッチ34を操作した場合に抽選対象となる当選役グループを示す。そのため、規定数が２枚又は３枚の遊技状態の場合（ＲＴ０，ＲＴ１，ＲＴ２）は投入枚数が３枚であり、規定数が３枚の遊技状態の場合（ＲＢＢ１，ＲＢＢ２，ＲＢＢ４，ＲＢＢ４）は投入枚数が３枚であり、規定数が２枚の遊技状態の場合（ＲＢＢ５，ＲＢＢ６）は投入枚数が２枚である。
【００９２】
また、図１４（Ｂ）は、遊技者が規定数が２枚又は３枚の場合の２枚投入した場合に抽選対象となる当選役グループを示している。
例えば、ボーナス移行役であっても、遊技状態「ＲＴ０」の場合に、マックスベットスイッチ34が操作された場合は、当選役グループ「ＲＢＢ１」〜「ＲＢＢ４」が抽選対象となるが、シングルベットスイッチ35が２回操作された場合は、当選役グループ「ＲＢＢ５」、「ＲＢＢ６」が抽選対象となる。
【００９３】
（リール制御手段220）
リール制御手段220は、メイン制御基板200が備える手段であり、各回転リール62の回転を停止させるためのものである。リール制御手段220は、役抽選手段210の抽選結果と、各ストップスイッチ50が操作されたときの対応する回転リール62の回転位置とに基づいて、各回転リール62の回転を停止させる。なお、リール制御手段220は、必要に応じて各ストップスイッチ50が停止操作されるときの順番（押し順）が所定の条件に適合しているか否かも停止させる条件にする場合がある。リール制御手段220による処理は、後述するステップS12（図１８参照）において行われる。
【００９４】
（停止図柄判定手段230）
停止図柄判定手段230は、メイン制御基板200が備える手段であり、すべての回転リール62が停止した際における有効ライン86上の図柄61の組み合わせを記憶するとともに入賞等の判定をするためのものである。なお、停止図柄判定手段230による処理は、後述するステップS13（図１８参照）において行われる。
【００９５】
（払出制御手段240）
払出制御手段240は、停止図柄判定手段230の判定結果に基づいて、メダル払い出し等の所定の処理を行うためのものである。払出制御手段240は、停止図柄判定手段230の判定の結果、小役が入賞していると判定されるとメダルの払い出しを行う。なお、払出制御手段240による処理は、後述するステップS14（図１８参照）において行われる。
【００９６】
（遊技制御手段250）
遊技制御手段250は、遊技状態を制御するものである。
具体的には、遊技制御手段250は、図４に示すように、大別すると、ノーマル遊技状態制御手段251、ボーナス内部中状態制御手段252及びボーナス遊技状態制御手段253の各手段を有する。
【００９７】
（ノーマル遊技状態制御手段251）
ノーマル遊技状態制御手段251は、「ノーマル遊技状態」（図１６参照）を制御するものである。ここで、ノーマル遊技状態は、ボーナス内部中状態制御手段252によるボーナス内部中状態、ボーナス遊技状態制御手段253によるボーナス遊技状態、以外の状態をいう。
【００９８】
（ボーナス内部中状態制御手段252）
ボーナス内部中状態制御手段252は、「ボーナス内部中状態」（図１６参照）を制御するものである。ここで、ボーナス内部中状態は、ボーナス移行役「ＲＢＢ１」〜「ＲＢＢ６」に当選したが、当該ボーナス移行役に対応した図柄62の組み合わせを有効ライン86上に停止表示できなかった場合に移行する。
【００９９】
（ボーナス遊技状態制御手段253）
ボーナス遊技状態制御手段253は、「ボーナス遊技状態」（図１６参照）を制御するものである。
ボーナス遊技状態は、ボーナス移行役「ＲＢＢ１」〜「ＲＢＢ６」に当選し、当該ボーナス移行役に対応した図柄61の組み合わせを有効ライン86上に停止表示させることで移行する。
【０１００】
ここで、「ＲＢＢ１」〜「ＲＢＢ４」は、所定の枚数、例えば３６枚を超えるメダルの払い出しで終了し、「ＲＢＢ５」、「ＲＢＢ６」は、所定の枚数、例えば５枚を超えるメダルの払い出しで終了する。
そして、ボーナス遊技状態終了後、ノーマル遊技状態に移行する。
【０１０１】
（有利区間制御手段260）
有利区間制御手段260は、図１７を用いて後述するストップスイッチ50の操作態様を報知不可能な非有利区間と、報知可能な有利区間とを制御するものである。
そして、後述する演出制御手段320を用いてストップスイッチ50の押し順を報知させる演出等を実行させる。
【０１０２】
また、有利区間制御手段260は、所定条件が成立した場合、例えば、役抽選により予め定められた役に当選した場合に行われる「非有利区間」から「有利区間」への移行抽選に当選することにより「非有利区間」から「有利区間」へ移行させる（図１５参照）。
【０１０３】
なお、役抽選により予め定められた役に当選することを契機に実行される抽選（有利区間移行抽選）により、有利区間へ移行することが決定された場合に移行する場合に限定されず、予め定められた役に当選することにより、有利区間移行抽選をすることなく非有利区間から有利区間へ移行するようにしても良い。
【０１０４】
また、有利区間制御手段260は、後述するように、有利区間に属する各状態において、各種の抽選を実行している。
【０１０５】
また、有利区間制御手段260は、有利区間へ移行したときにゲーム数の計数を開始し、計数されたゲーム数が、後述する天井ゲーム数抽選により決定された所定のゲーム数、例えば６６６ゲーム、に到達することにより、後述する第１ＡＴ状態へ移行させるようにしている（いわゆる天井）。
ここで、所定のゲーム数、例えば６６６ゲーム、に到達する前に、後述するＡＴ状態へ移行するか否かの抽選（第１ＡＴ状態移行抽選（有利区間通常状態中）、第１ＡＴ状態移行抽選（ＣＺ状態中）、第１ＡＴ状態移行抽選（ポイント））に当選した場合、ＣＺポイント抽選により獲得したＣＺポイントが所定のＣＺポイントに到達した場合、は、天井ゲーム数カウンタにより計数されているゲーム数は初期化される。
なお、所定のゲーム数は、抽選により決定される場合に限定されず、予め定められたゲーム数であっても良い。
【０１０６】
また、かかる天井ゲーム数カウンタによるゲーム数の計数は、３枚賭けでの遊技のゲーム数のみ計数され、２枚賭けでの遊技のゲーム数は計数されないようにしている。
これは、後述するように、３枚賭けでの遊技のみ、有利区間に関する処理、例えば、有利区間移行抽選や、押し順ナビなどが行われることから、有利区間に関する処理が行われない２枚賭けでの遊技のゲーム数は計数されないようにしたものである。
【０１０７】
また、有利区間は、遊技可能な遊技区間に上限が設定されており、非有利区間から有利区間へ移行してから、所定の上限ゲーム数、例えば１５００ゲームを消化した場合は、有利区間の上限ゲーム数に到達したとして、有利区間から非有利区間へ移行するようにしている。
また、本実施の形態では、非有利区間から有利区間へ移行した後、所定の上限ゲーム数（１５００ゲーム）を消化する前（有利区間の上限ゲーム数に到達する前）であっても、予め定められた所定枚数の出玉（例えばいわゆるＭＹ２４００枚）を獲得したときには、これを契機に、上限ゲーム数を消化する前であっても、有利区間から非有利区間へ移行するようにしている。
【０１０８】
（送信手段270）
送信手段270は、サブ制御基板300へ信号を送信するためのものである。
【０１０９】
（サブ制御基板300）
サブ制御基板300は、図５に示すように、受信手段310、演出制御手段320の各手段を有する。各手段の詳細については後述する。
【０１１０】
以上の構成をもって、サブ制御基板300は、メイン制御基板200からの信号を受けて、遊技の進行に伴う演出を行うものである。
具体的には、サブ制御基板300は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【０１１１】
（受信手段310）
受信手段310は、送信手段270からの信号を受信するものである。
【０１１２】
（演出制御手段320）
演出制御手段320は、図１６に示す遊技状態及び図１７に示す有利区間の状態に応じた遊技機10の演出を制御するものである。
【０１１３】
また、演出制御手段320は、図１７に示す有利区間の間、メイン制御基板200の有利区間制御手段260からストップスイッチ50の押し順を報知させるコマンドを受信した場合に当該ストップスイッチ50の押し順を報知させる演出を実行可能である。
【０１１４】
具体的には、各ストップスイッチ50の位置（詳しくは各ストップスイッチ50に対応する回転リール62の位置）と対応する表示装置84の画面に、押し順を示す複数の画像又は映像（例えば「１」「２」「３」）を表示することで押し順を報知する。その後、前記押し順を示す画像又は映像は、ストップスイッチ50が操作される度に、当該操作されたストップスイッチ50の位置に対応する部分が消去（又は順序を示さない画像に変更）される。
【０１１５】
（図１６を用いた遊技状態の説明）
つぎに、図１６を用いて遊技状態について説明する。
遊技状態は、メイン制御基板200により管理され、図１６に示すように、大別すると、ノーマル遊技状態、ボーナス内部中状態、ボーナス遊技状態がある。
【０１１６】
（ノーマル遊技状態）
ノーマル遊技状態は、ノーマル遊技状態制御手段251により制御される。
ノーマル遊技状態におけるリプレイ役への当選確率は、通常（１／７．３）に設定されている。
ノーマル遊技状態における役抽選によりボーナス移行役に当選し、当該ボーナス移行役に対応する図柄組み合わせが有効ライン86上に停止表示されなかった場合に、ノーマル遊技状態からボーナス内部中状態へ移行し、停止表示された場合はボーナス遊技状態へ移行する。
【０１１７】
ノーマル遊技状態の規定数は、２枚又は３枚であり、マックスベットスイッチ34を操作した場合は３枚のメダルが投入される。
また、ノーマル遊技状態では、図１４（Ｂ）に示すように、賭け数が２枚の場合のみ当選役グループ「ＲＢＢ５」、「ＲＢＢ６」が役抽選の対象となっているため、遊技者は、マックスベットスイッチ34を操作せず、シングルベットスイッチ35を２回操作して投入枚数を２枚にすることが望まれる。
これは、後述するように、遊技状態「ＲＴ１」（ＲＢＢ１Ｆ，ＲＢＢ２Ｆ，ＲＢＢ３Ｆ，ＲＢＢ４Ｆ）では、賭け数が３枚である場合も２枚である場合も有利区間移行抽選がされないため、遊技状態「ＲＴ１」（ＲＢＢ１Ｆ，ＲＢＢ２Ｆ，ＲＢＢ３Ｆ，ＲＢＢ４Ｆ）に移行しないように、且つ、有利区間移行抽選が可能な遊技状態「ＲＴ２」に移行するように、遊技状態「ＲＴ２」のボーナス移行役である当選役グループ「ＲＢＢ５」、「ＲＢＢ６」を抽選対象に含めるようにするためである。
【０１１８】
また、ノーマル遊技状態に滞在中で賭け数が３枚の場合は、有利区間に関する処理、例えば、有利区間移行抽選や、押し順ナビなどが行われるが、賭け数が２枚の場合は、有利区間に関する処理は行われない。
【０１１９】
（ボーナス内部中状態）
ボーナス内部中状態は、ボーナス内部中状態制御手段252により制御され、ノーマル遊技状態において、ボーナス移行役「ＲＢＢ１」〜「ＲＢＢ６」（図１１参照）に当選し、当該ボーナス移行役「ＲＢＢ１」〜「ＲＢＢ６」に対応する図柄組み合わせが有効ライン86上に停止表示されなかった場合に移行する。
【０１２０】
具体的には、ボーナス移行役「ＲＢＢ１」に当選した場合は「ＲＢＢ１Ｆ（ＲＴ１）」に、ボーナス移行役「ＲＢＢ２」に当選した場合は「ＲＢＢ２Ｆ（ＲＴ１）」に、ボーナス移行役「ＲＢＢ３」に当選した場合は「ＲＢＢ３Ｆ（ＲＴ１）」に、ボーナス移行役「ＲＢＢ４」に当選した場合は「ＲＢＢ４Ｆ（ＲＴ１）」に、ボーナス移行役「ＲＢＢ５」に当選した場合は「ＲＢＢ５Ｆ（ＲＴ２）」に、ボーナス移行役「ＲＢＢ６」に当選した場合は「ＲＢＢ６Ｆ（ＲＴ２）」に、それぞれ移行する。
ボーナス内部中状態におけるリプレイ役への当選確率は、ノーマル遊技状態よりも高く設定されている。
【０１２１】
ボーナス内部中状態の規定数は、２枚又は３枚であり、マックスベットスイッチ34を操作した場合は３枚のメダルが投入される。
【０１２２】
また、ボーナス内部中状態のうち、「ＲＢＢ１Ｆ（ＲＴ１）」、「ＲＢＢ２F（ＲＴ１）」、「ＲＢＢ３Ｆ（ＲＴ１）」、「ＲＢＢ４Ｆ（ＲＴ１）」に滞在中で賭け数が３枚の場合は、有利区間に関する処理、例えば、有利区間移行抽選や、押し順ナビなどが行われず、賭け数が２枚の場合も同様、有利区間に関する処理は行われない。
また、ボーナス内部中状態のうち、「ＲＢＢ５Ｆ（ＲＴ２）」、「ＲＢＢ６F（ＲＴ２）」に滞在中で賭け数が３枚の場合は、有利区間に関する処理、例えば、有利区間移行抽選や、押し順ナビなどが行われるが、賭け数が２枚の場合は、有利区間に関する処理は行われない。
【０１２３】
また、ボーナス内部中状態「ＲＢＢ５Ｆ（ＲＴ２）」、「ＲＢＢ６Ｆ（ＲＴ２）」では、賭け数が３枚の場合は、リール制御手段220により、対応する図柄組み合わせが有効ライン86上に停止表示されないように設定されている。
しかし、賭け数が２枚の場合は、リール制御手段220により、対応する図柄組み合わせが有効ライン86上に停止表示可能に設定されているが、図１４（Ｂ）に示すように、ボーナス内部中状態「ＲＢＢ５Ｆ（ＲＴ２）」、「ＲＢＢ６Ｆ（ＲＴ２）」では、当選役グループ「ＨＺ（ハズレ）」が役抽選の対象となっておらず、必ず他の当選役グループが当選しており、リール制御手段220は、ボーナス移行役「ＲＢＢ５」、「ＲＢＢ６」に対応する図柄61よりも、小役やリプレイを優先して引き込み制御が行われるため（いわゆる小役優先制御、リプレイ優先制御）、ボーナス移行役「ＲＢＢ５」、「ＲＢＢ６」の図柄組み合わせが有効ライン86上に停止表示されることはないため、ボーナス内部中状態「ＲＢＢ５Ｆ（ＲＴ２）」、「ＲＢＢ６Ｆ（ＲＴ２）」に一旦移行した場合は、他の遊技状態に移行することはないように設定されている。
【０１２４】
（ボーナス遊技状態）
ボーナス遊技状態は、ボーナス遊技状態制御手段253により制御され、本実施の形態では、ボーナス移行役「ＲＢＢ１」〜「ＲＢＢ６」（図１１参照）に当選し、当該ボーナス移行役「ＲＢＢ１」〜「ＲＢＢ６」に対応する図柄組み合わせが有効ライン86上に停止表示された場合に移行する。
ボーナス遊技状態におけるリプレイ役への当選確率は、「０」に設定されている。
【０１２５】
ボーナス遊技状態は、本実施の形態では、ボーナス移行役「ＲＢＢ１」に当選した場合に移行可能な「ＲＢＢ１」に、ボーナス移行役「ＲＢＢ２」に当選した場合に移行可能な「ＲＢＢ２」、ボーナス移行役「ＲＢＢ３」に当選した場合に移行可能な「ＲＢＢ３」、ボーナス移行役「ＲＢＢ４」に当選した場合に移行可能な「ＲＢＢ４」に、ボーナス移行役「ＲＢＢ５」に当選した場合に移行可能な「ＲＢＢ５」に、ボーナス移行役「ＲＢＢ６」に当選した場合に移行可能な「ＲＢＢ６」が、それぞれ設けられている。
【０１２６】
なお、上述したように、ボーナス遊技状態「ＲＢＢ５」、「ＲＢＢ６」は、ボーナス内部中状態では対応する図柄組み合わせが有効ライン86上に停止表示されることはないため、ノーマル遊技状態でボーナス移行役「ＲＢＢ５」、「ＲＢＢ６」に当選した当該遊技で対応する図柄組み合わせが有効ライン86上に停止表示された場合のみ移行する状態である。
【０１２７】
ここで、「ＲＢＢ１」〜「ＲＢＢ４」は、所定の枚数、例えば３６枚を超えるメダルの払い出しで終了し、「ＲＢＢ５」、「ＲＢＢ６」は、所定の枚数、例えば５枚を超えるメダルの払い出しで終了する。
そして、ボーナス遊技状態の終了後、ノーマル遊技状態に移行する。
【０１２８】
また、ボーナス遊技状態「ＲＢＢ１」〜「ＲＢＢ４」に滞在中で賭け数が３枚の場合は、有利区間に関する処理、例えば、有利区間移行抽選や、押し順ナビなどが行われない。
なお、ボーナス遊技状態「ＲＢＢ１」〜「ＲＢＢ４」は、規定数が３枚であるため、賭け数が２枚では遊技ができないようにされている。
【０１２９】
また、ボーナス遊技状態「ＲＢＢ５」、「ＲＢＢ６」に滞在中で賭け数が２枚の場合は、有利区間に関する処理、例えば、有利区間移行抽選や、押し順ナビなどが行われない。
なお、ボーナス遊技状態「ＲＢＢ５」、「ＲＢＢ６」は、規定数が２枚であるため、賭け数が３枚では遊技ができないようにされている。
【０１３０】
（図１７を用いた有利区間の説明）
図１７に示すように、押し順でストップスイッチ50の操作がされた場合に入賞となる押し順役に当選した場合に、当該押し順を遊技者に報知不可能な「非有利区間」と、「非有利区間」から移行可能であり、役抽選により予め定められた押し順でストップスイッチ50の操作がされた場合に入賞となる押し順役に当選した場合に、当該押し順を遊技者に報知可能な「有利区間」とがある。
【０１３１】
「非有利区間」は、「有利区間」を除いた区間である。
「非有利区間」から「有利区間」には、本実施の形態では、役抽選により予め定められた役、図１５に示すように、遊技状態が「ＲＴ０」で賭け数が３枚の場合では、当選役グループ「ＮＸＰ１」、「ＮＣＨ」、「ＨＣＨ」、「ＳＰＡ」、「ＳＰＢ」、「ＷＭ」、「ＡＴＡ１」〜「ＡＴＡ１２」、に当選した場合に「非有利区間」から「有利区間」への有利区間移行抽選がされ、当該有利区間移行抽選に当選することにより移行させる。
【０１３２】
また、遊技状態が「ＲＴ１」（ＲＢＢ１Ｆ，ＲＢＢ２Ｆ，ＲＢＢ３Ｆ，ＲＢＢ４Ｆ）で賭け数が３枚の場合では、役抽選の結果が、いずれの当選役グループの当選であっても有利区間移行抽選はされないようにしている。
【０１３３】
また、遊技状態が「ＲＴ２」（ＲＢＢ５Ｆ，ＲＢＢ６Ｆ）で賭け数が３枚の場合では、当選役グループ「ＮＸＰ１」、「ＮＣＨ」、「ＨＣＨ」、「ＳＰＡ」、「ＳＰＢ」、「ＷＭ」、「ＡＴＡ１」〜「ＡＴＡ１２」、に当選した場合に「非有利区間」から「有利区間」への有利区間移行抽選がされ、当該有利区間移行抽選に当選することにより移行させる。
【０１３４】
また、賭け数が２枚の場合では、遊技状態がＲＴ０、ＲＴ１、ＲＴ２であるかを問わず、役抽選の結果が、いずれの当選役グループの当選であっても有利区間移行抽選はされないようにしている。
【０１３５】
ここで、遊技状態「ＲＴ１」（ＲＢＢ１Ｆ，ＲＢＢ２Ｆ，ＲＢＢ３Ｆ，ＲＢＢ４Ｆ）では、賭け数が３枚である場合も２枚である場合も有利区間移行抽選がされないため、遊技者は、遊技状態「ＲＴ１」（ＲＢＢ１Ｆ，ＲＢＢ２Ｆ，ＲＢＢ３Ｆ，ＲＢＢ４Ｆ）に移行しないように、ノーマル遊技状態の「ＲＴ０」では、上述したように、シングルベットスイッチ35を２回操作することにより「ＲＴ２」（ＲＢＢ５Ｆ、ＲＢＢ６Ｆ）へ移行するように遊技することになる。
【０１３６】
なお、本実施の形態では、有利区間移行抽選の当選確率は、高確率に設定されており、非有利区間の数ゲームで有利区間へ移行するように設定されている。
また、「非有利区間」から「有利区間」へは、役抽選により予め定められた役に当選した場合に行われる有利区間移行抽選に当選することにより移行する場合に限定されず、役抽選により予め定められた役に当選した場合は有利区間移行抽選をすることなく有利区間へ移行するようにしても良い。
【０１３７】
また、本実施の形態では、区間報知ランプ90は、有利区間へ移行する契機となる予め定められた役に当選したゲームのいわゆる第３停止後に点灯するように設定されている。
なお、区間報知ランプ90の点灯は、上述した場合に限定されず、他の場合、例えば、後述する第１ＡＴ状態への移行時に点灯するようにしても良い。
【０１３８】
（有利区間）
「有利区間」は、「非有利区間」よりも遊技者にとって有利な区間であって、「有利区間通常状態」、「ＡＴ状態」を備える。
【０１３９】
また、有利区間には、その他、ＡＴ状態のゲーム数を上乗せさせるか否かを抽選する上乗せ状態などを備えても良い。
【０１４０】
なお、ここで、遊技者に有利な区間とは、例えば、非有利区間では、役抽選により予め定められた押し順でストップスイッチ50の操作がされた場合に入賞となる押し順役に当選した場合であっても、当該押し順を遊技者に報知することが不可能であった状態から可能な状態になったことや、非有利区間では実行されないＡＴ状態が実行されることなどから、遊技者に有利な区間となっている。
したがって、「有利区間」全体を通して遊技者にとって有利である必要はなく、「有利区間」の一部で遊技者にとって有利ではないことがあっても良い。
【０１４１】
また、非有利区間から有利区間へ移行してから、所定の上限ゲーム数、例えば１５００ゲームを消化した場合は、有利区間の上限ゲーム数に到達したとして、有利区間から非有利区間へ移行するようにしている。
そのため、メイン制御基板200では、上限ゲーム数カウンタを備え、所定の上限ゲーム数（１５００ゲーム）に到達するか否か判定するため、有利区間へ移行した後の消化ゲーム数を計数している。
【０１４２】
また、非有利区間から有利区間へ移行した後、所定の上限ゲーム数（１５００ゲーム）を消化する前（有利区間の上限ゲーム数に到達する前）であっても、予め定められた所定枚数の出玉（例えばいわゆるＭＹ２４００枚）を獲得したときには、これを契機に、上限ゲーム数を消化する前であっても、有利区間から非有利区間へ移行するようにしている。
そのため、メイン制御基板200では、予め定められた所定枚数の出玉（いわゆるＭＹ２４００枚）に到達するか否か判定するため、有利区間へ移行した後の投入枚数と払出枚数とを計数している。
【０１４３】
また、有利区間移行時には、（１）通常状態種別抽選、（２）天井ゲーム数抽選、（３）恩恵抽選、が行われる。
なお、有利区間移行時に行われる抽選は、上述のものに限定されず、又、上述のもののうち、実行されない抽選があっても良い。
また、有利区間移行時に行われる抽選は、遊技者によるスタートスイッチ40操作時に行われるが、これに限定されない。
【０１４４】
（１）通常状態種別抽選は、有利区間通常状態のうち、後述する「低確」、「通常」、「高確」、「超高確」のいずれに移行するかを抽選により決定するものである。
【０１４５】
（２）天井ゲーム数抽選は、天井ゲーム数を抽選により決定するものである。
本実施の形態では、「１」「３」「６」の数値から抽選により決定された数値に「１１１」を乗算した値が天井ゲーム数となるようにされている。
例えば、「１」が抽選により決定された場合は、「１１１」ゲームが天井ゲーム数となる。
【０１４６】
（３）恩恵抽選は、当該有利区間で当選する恩恵を先に決定するものである。
ここで、恩恵とは、後述する第１ＡＴ状態の種類であり、「同色ＢＩＧ」、「異色ＢＩＧ」、「ＲＥＧ」がある。
ここで、後述するように「ＲＥＧ」よりも「異色ＢＩＧ」の方がメダルの払い出しの期待値が高いことから遊技者にとって有利であり、「異色ＢＩＧ」よりも「同色ＢＩＧ」の方が第２ＡＴ状態への移行抽選の確率が高いことから遊技者にとって有利に設定されている。
【０１４７】
そして、「同色ＢＩＧ」、「異色ＢＩＧ」が抽選により決定された場合は、更に、「同色ＢＩＧ」、「異色ＢＩＧ」より有利な種類を獲得できるかの抽選が行われる。
具体的には、「同色ＢＩＧ」、「異色ＢＩＧ」を維持すること、「同色ＢＩＧ」又は「異色ＢＩＧ」より遊技者にとって有利な「上位同色ＢＩＧ」又は「上位異色ＢＩＧ」へ変更すること、が抽選される。
【０１４８】
（有利区間通常状態）
有利区間通常状態は、第１状態の通常状態の一例であり、「有利区間」における「ＡＴ状態」等の特殊な状態を除いた状態である。
有利区間通常状態は、非有利区間の非有利区間通常状態を継続した状態となっており、演出制御手段320により非有利区間通常状態と同様の演出が行われる。つまり、非有利区間通常状態と有利区間通常状態との違いは、滞在している区間が「非有利区間」か「有利区間」かの違いとなっている。
【０１４９】
有利区間通常状態には、後述するＣＺ状態への移行の期待度の異なる「低確」、「通常」、「高確」、「超高確」が設けられている。
ここで、ＣＺ状態への移行の期待度は、「低確」が最も低く、「超高確率」が最も高くなるようにされている。
すなわち、後述する前兆移行抽選において、「本前兆」の当選確率は、「超高確率」が最も高く、「低確」が最も低くなるように設定されている。また、逆に、「ガセ前兆」の当選確率は、「超高確率」が最も低く、「低確」が最も高くなるように設定されている。
【０１５０】
また、有利区間通常状態では、（１）第１ＡＴ状態移行抽選、（２）通常状態種別昇格抽選１、（３）前兆移行抽選、（４）ＣＺ本前兆遊技数抽選、（５）ＣＺガセ前兆遊技数抽選、（６）通常状態種別昇格抽選２、が行われる。
なお、有利区間通常状態で行われる抽選は、上述のものに限定されず、又、上述のもののうち、実行されない抽選があっても良い。
また、有利区間通常状態で行われる抽選は、遊技者によるスタートスイッチ40操作時に行われるが、これに限定されない。
【０１５１】
（１）第１ＡＴ状態移行抽選（有利区間通常状態中）は、役抽選により予め定められた役、例えば、当選役グループ「ＮＣＨ」、「ＷＭ」、「ＨＣＨ」、「ＳＰＡ」、「ＳＰＢ」、に当選した場合に行われ、第１ＡＴ状態へ移行するか否かを抽選するものである。
そして、本抽選では、本実施の形態では、役抽選の当選確率の設定値が高いほど当選確率が高く、設定値が低いほど当選確率が低くなるように設定されているが、これに限定されず、設定値に依存せず、一律の当選確率で抽選するようにしても良い。
【０１５２】
本抽選に当選した場合は、第１ＡＴ状態本前兆遊技数抽選が行われ、第１ＡＴ状態へ移行するか否かの前兆演出が行われる前兆状態のゲーム数が抽選により決定され、当該ゲーム数を消化することで、第１ＡＴ状態へ移行する。
【０１５３】
（２）通常状態種別昇格抽選１は、第１ＡＴ状態移行抽選（有利区間通常状態中）に当選しなかった場合に行われ、当該遊技における有利区間消化ゲーム数が、予め定められた値、例えば、「１１１」、「２２２」、「３３３」、「４４４」である場合は、「低確」から「通常」、「通常」から「高確」などの１段階昇格するか否か、現在の段階がどの段階かを問わず「超高確」まで昇格するか否かが抽選により決定される。
そして、抽選結果に応じて、有利区間通常状態の状態が変動する。
【０１５４】
（３）前兆移行抽選は、通常状態種別昇格抽選１の抽選後のタイミングに行われものであり、後述する「本前兆」、「ガセ前兆」へ移行するか否かが抽選により決定される。
ここで、「本前兆」は、ＣＺ状態（チャンスゾーン状態）への移行が決定された状態であり、「ガセ前兆」は、ＣＺ状態への移行が決定されていない状態である。
そのため、前兆移行抽選は、ＣＺ状態への移行抽選でもある。
なお、前兆移行抽選は、通常状態種別昇格抽選１の抽選後のタイミングに行われる場合に限定されず、通常状態種別昇格抽選１の抽選よりも前に行っても良い。
【０１５５】
（４）ＣＺ本前兆遊技数抽選は、前兆移行抽選において、「本前兆」が抽選された場合に行われる抽選であり、本前兆のゲーム数を抽選により決定するものである。
当該ゲーム数を消化することで、後述するように本前兆からＣＺ状態へ移行する。
【０１５６】
（５）ＣＺガセ前兆遊技数抽選は、前兆移行抽選において、「ガセ前兆」が抽選された場合に行われる抽選であり、ガセ前兆のゲーム数を抽選により決定するものである。
当該ゲーム数を消化することで、後述するようにガセ前兆から有利区間通常状態へ移行する。
【０１５７】
（６）通常状態種別昇格抽選２は、前兆移行抽選において、「ガセ前兆」へ移行することが決定された場合と、「本前兆」も「ガセ前兆」も決定されない「ハズレ」の場合とに行われる抽選であり、本実施の形態では、役抽選により予め定められた役、例えば、当選役グループ「ＮＣＨ」、「ＨＣＨ」、「ＳＰＡ」、「ＳＰＢ」、「ＷＭ」、に当選した場合に、有利区間通常状態の「低確」から「通常」、「通常」から「高確」、「高確」から「超高確」へ、１段階昇格するか否かを抽選により決定するものである。
なお、有利区間通常状態の現段階が「超高確」の場合は、本抽選をする必要はないため行われないが、本抽選をした結果を問わず、「超高確」を維持するようにしても良い。
【０１５８】
（前兆状態）
前兆状態は、ＣＺ本前兆遊技数抽選、ＣＺガセ前兆遊技数抽選により決定されたゲーム数の間、ＣＺ状態へ移行する可能性があることを報知する煽り演出が行われる状態である。
そして、「前兆状態」の抽選により決定されたゲーム数を消化することで、「本前兆」の場合は、「ＣＺ状態」へ移行し、「ガセ前兆」の場合は、「有利区間通常状態」へ移行する。
【０１５９】
また、ガセ前兆では、上述した第１ＡＴ状態移行抽選（有利区間通常状態中）が行われる。
なお、前兆状態で行われる抽選は、上述のものに限定されない。
【０１６０】
（ＣＺ状態）
ＣＺ状態は、第１状態の通常状態の一例であり、予め定められた遊技数、例えば、２０ゲームの間実行され、有利区間通常状態よりも、第１ＡＴ状態へ移行する期待度の高い状態であり、具体的には、第１ＡＴ状態への移行抽選の当選確率（第１ＡＴ状態移行抽選（ＣＺ状態中））が、第１ＡＴ状態移行抽選（有利区間通常状態中）に比べ、高く設定されている状態である。
なお、当選確率が高く設定されている場合に限定されず、第１ＡＴ状態への移行抽選の抽選の回数が多く得られるなどであっても良い。
【０１６１】
また、ＣＺ状態では、（１）第１ＡＴ状態移行抽選（ＣＺ状態中）、（２）ＣＺポイント抽選、（３）第１ＡＴ状態移行抽選（ポイント）、（４）恩恵書き換え抽選（第１ＡＴ状態移行時）、（５）恩恵書き換え時種類抽選が行われる。
なお、ＣＺ状態で行われる抽選は、上述のものに限定されず、又、上述のもののうち、実行されない抽選があっても良い。
また、ＣＺ状態で行われる抽選は、遊技者によるスタートスイッチ40操作時に行われるが、これに限定されない。
【０１６２】
（１）第１ＡＴ状態移行抽選（ＣＺ状態中）は、ＣＺ状態の開始後、１０ゲーム消化後の１１ゲーム目から行われ、第１ＡＴ状態へ移行するか否かを決定する抽選であり、本実施の形態では、役抽選により予め定められた役、例えば、当選役グループ「ＮＸＰ１」、「ＮＸＰ２」に当選した場合に行われる。
【０１６３】
ここで、本抽選をＣＺ状態の１１ゲーム目から行われるようにすることで、ＣＺ状態の開始後、１０ゲーム間は、所定の演出、例えば複数ゲームにわたる連続演出などが実行可能となり、１０ゲーム間で第１ＡＴ状態への移行が決定された場合に、演出が途中で終了してしまうことを防止している。
【０１６４】
本抽選により、第１ＡＴ状態への移行することが決定された場合（当選の場合）は、次のゲームから第１ＡＴ状態へ移行する。
なお、次のゲームから第１ＡＴ状態へ移行する場合に限定されず、ＣＺ状態の終了後移行するようにしても良い。かかる場合は、ＣＺ状態の開始後、１０ゲームを消化することを待つことなく、抽選を行っても良い。
【０１６５】
（２）ＣＺポイント抽選は、第１ＡＴ状態移行抽選（ＣＺ状態中）により第１ＡＴ状態への移行が決定されなかった場合（ハズレの場合）に行われる抽選であり、獲得するＣＺポイント、例えば、０ポイント、１ポイント、２ポイント、３ポイント、４ポイント、を抽選により決定するものである。
そして、所定のＣＺポイントを獲得した場合は、第１ＡＴ状態へ移行するようにしている。
【０１６６】
なお、ＣＺポイント抽選は、ＣＺポイントを獲得するか否の抽選を行わず、獲得するＣＺポイントを抽選により決定しているが、０ポイントを抽選対象とすることで、ＣＺポイントを獲得するか否かの抽選を含んだ概念である。
そのため、ＣＺポイント抽選の抽選対象に、０ポイントを含まない場合は、ＣＺポイント抽選に先立ち、ＣＺポイントを獲得するか否の抽選を行うようにしても良い。
【０１６７】
（３）第１ＡＴ状態移行抽選（ポイント）は、ＣＺ状態の最後のゲームで、ＣＺポイント抽選により獲得したＣＺポイントに基づき、第１ＡＴ状態へ移行するか否かの抽選を行うものである。
そして、獲得したＣＺポイントが多いほど、第１ＡＴ状態へ移行することが決定されやすいようにしている。
【０１６８】
本抽選により第１ＡＴ状態へ移行することが決定された場合は、次のゲームから第１ＡＴ状態へ移行し、第１ＡＴ状態へ移行することが決定されなかった場合は、次のゲームから有利区間通常状態へ移行する。
【０１６９】
（４）恩恵書き換え抽選（第１ＡＴ状態移行時）は、上述したＣＺポイント抽選により第１ＡＴ状態へ移行するための所定のＣＺポイントを獲得した場合、ＣＺ状態の最後のゲームで行われる第１ＡＴ状態移行抽選（ポイント）により、第１ＡＴ状態への移行が決定された場合、に行われる抽選であり、上述した恩恵抽選により決定された恩恵を書き換えるか否かの抽選が行われる。
【０１７０】
（５）恩恵書き換え時種類抽選は、恩恵書き換え抽選（第１ＡＴ状態移行時）により、恩恵を書き換えることが決定された場合に行われ、「同色ＢＩＧ」又は「異色ＢＩＧ」に書き換えることが抽選される。
【０１７１】
ここで、恩恵抽選により決定された恩恵が「同色ＢＩＧ」の場合に、本書き換え抽選で「同色ＢＩＧ」よりも遊技者にとって不利な「異色ＢＩＧ」へ書き換える場合もある。
また、恩恵抽選により決定された恩恵が「上位同色ＢＩＧ」の場合に、本書き換え抽選で「上位同色ＢＩＧ」よりも遊技者にとって不利な「異色ＢＩＧ」へ書き換える場合もある。
また、恩恵抽選により決定された恩恵が「異色ＢＩＧ」の場合に、本書き換え抽選で「異色ＢＩＧ」よりも遊技者にとって有利な「上位同色ＢＩＧ」へ書き換える場合もある。
このように、必ずしも有利な状態へ書き換える場合に限られないため、ＣＺ状態の最後までハラハラドキドキさせることが可能となる。
【０１７２】
（ＡＴ状態）
「ＡＴ状態」は、「非有利区間」より遊技者に有利な状態である。当該「ＡＴ状態」に移行すると、所定の役の入賞をアシストするための報知演出として、当選した役の押し順が報知（押し順ナビ）される遊技（ＡＴ）が開始され、報知された押し順に従ってストップスイッチ50を操作することで、当選した小役や再遊技役の図柄の組み合わせを停止表示させることができる。このため、成立した小役に対応する所定枚数のメダルが払い出される。
【０１７３】
「ＡＴ状態」は、上述したＡＴ移行抽選（第１ＡＴ状態移行抽選（有利区間通常状態中）、第１ＡＴ状態移行抽選（ＣＺ状態中）、第１ＡＴ状態移行抽選（ポイント））に当選すること、ＣＺポイント抽選により獲得したＣＺポイントが所定のＣＺポイントに到達すること、で移行してくる状態である。
【０１７４】
また、「ＡＴ状態」へは、非有利区間から有利区間へ移行後計数が開始されるゲーム数が、上述した天井ゲーム数抽選により決定されたゲーム数（６６６ゲームなど）に到達すること（いわゆる天井）によっても移行してくるようにしている。
そして、「ＡＴ状態」の終了後、非有利区間通常状態へ移行する。
【０１７５】
「ＡＴ状態」には、本実施の形態では、「第１ＡＴ状態」、「ＡＴランク決定ゾーン」、「第２ＡＴ状態」、「第３ＡＴ状態」を備える。
なお、「ＡＴ状態」が備える状態には、上述したものに限定されず、他の状態を備えても良い。
【０１７６】
（第１ＡＴ状態）
第１ＡＴ状態は、第１状態の有利状態の一例であり、本実施の形態では、「同色ＢＩＧ」、「異色ＢＩＧ」、「上位同色ＢＩＧ」、「上位異色ＢＩＧ」、「ＲＥＧ」を備える。
なお、第１状態の有利状態の一例は、第１ＡＴ状態に限定されず、「ＡＴ状態」へ高確率で移行可能な非ＡＴ状態（ＡＴ状態ではない状態）、すなわち、チャンスゾーンであっても良い。また、このようにチャンスゾーンを第１状態の一例とした場合は、上述した「ＣＺ状態」は、ＡＴ状態への「ＣＺ状態」ではなく、チャンスゾーンへ高確率で移行可能な状態、いわば「チャンスゾーンのＣＺ状態」となる。
【０１７７】
また、第１状態の有利状態の一例は、第１ＡＴ状態に限定されず、ＡＴ状態中の他の状態、例えば、第２ＡＴ状態や第３ＡＴ状態などであっても良い。
また、第１状態の有利状態の一例は、第１ＡＴ状態に限定されず、第２状態の一例である継続抽選が行われる第２ＡＴ状態への移行抽選が行われる状態であれば、種類を問わない。そのため、第２ＡＴ状態移行抽選状態とも言える。
【０１７８】
また、第１ＡＴ状態の開始時に、遊技の進行を停止するいわゆるフリーズを実行し、第１ＡＴ状態の種類（同色ＢＩＧ」、「異色ＢＩＧ」、「上位同色ＢＩＧ」、「上位異色ＢＩＧ」、「ＲＥＧ」）に応じて、リール演出を実行するようにしている。
ここで、第１ＡＴ状態の種類に応じて実行するリール演出には、第１ＡＴ状態の種類毎に予め定められたリール演出を実行することや、第１ＡＴ状態の種類毎に予め定められた抽選確率で、時間や内容の異なる複数のリール演出のうちから抽選で決定すること、などを含む。
これにより、実行されたリール演出から第１ＡＴ状態の種類を推測することなどの遊技性を提供することも可能となる。
【０１７９】
第１ＡＴ状態は、後述する第２ＡＴ状態移行抽選（同色ＢＩＧ、異色ＢＩＧ、上位同色ＢＩＧ、上位異色ＢＩＧ中）、第２ＡＴ状態移行抽選（ＲＥＧ中）に当選した場合は、第１ＡＴ状態の終了後、ＡＴランク決定ゾーンを経て、第２ＡＴ状態へ移行するが、当選しない場合は、第１ＡＴ状態の終了後、非有利区間通常状態へ移行する。
【０１８０】
第１ＡＴ状態のうち、同色ＢＩＧ、異色ＢＩＧ、上位同色ＢＩＧ、上位異色ＢＩＧでは、遊技価値を所定の価値分獲得するまで実行可能な前半パートと、前半パートの終了後の所定の遊技数を消化するまで実行可能な後半パートとを備える。
【０１８１】
ここで、「遊技価値を所定の価値分獲得するまで」には、役抽選により当選した役に予め定められた遊技価値、例えば、対応する図柄が揃った場合に遊技者に払い出されたメダルの数を所定枚数獲得するまでや、払出枚数に依存しないメダルの数を所定枚数獲得するまで、を含む。
【０１８２】
対応する図柄が揃った場合に遊技者に払い出されたメダルの数を所定枚数獲得するまでの例としては、図１２に示すように、役抽選により、例えば、当選役グループ「ＷＭ」に当選し、対応する図柄組み合わせが有効ライン86上に停止表示された場合に３枚のメダルが払い出された場合は「＋３」される（図８参照）。
また、同様に、役抽選により、当選役グループ「ＮＣＨ」に当選し、対応する図柄組み合わせが有効ライン86上に停止表示された場合に１枚のメダルが払い出された場合は「＋１」される（図８参照）。
【０１８３】
そして、獲得したメダルの枚数が、６０枚に到達した場合に前半パートが終了し、後半パートへ移行する。
本例の場合は、実際に払い出されたメダルを元にした獲得枚数を用いた遊技の管理が可能となる。
また、実際の払い出されたメダルを元にした獲得枚数を用いた遊技の管理としては、メダルの投入枚数とメダルの払出枚数の差枚数が所定枚数、例えば６０枚に到達した場合に前半パートを終了するようにしても良い。
【０１８４】
また、払出枚数に依存しないメダルの枚数の場合の例としては、役抽選により、当選役グループ「ＨＺ」、「ＮＣＨ」、「ＨＣＨ」、「ＳＰＡ」、「ＳＰＢ」、「ＡＬＬ２」に当選した場合、すなわち、メダルの払い出しがない場合や払出枚数が１枚の役に当選した場合は、「−３」枚分（投入枚数と同数）の遊技価値を獲得したとして記憶し、当選役グループ「ＮＸＰ１」、「ＮＸＰ２」、「ＷＭ」に当選した場合、すなわち、リプレイ役と払出枚数が３枚の役に当選した場合は、「０」枚分の遊技価値を獲得したとして記憶し、当選役グループ「ＰＺ」、「ＡＴＡ１」〜「ＡＴＡ１２」に当選した場合は、「＋７」枚分の遊技価値を獲得したとして記憶される。
【０１８５】
そして、獲得したとして記憶されるメダルの枚数が、６０枚に到達した場合に前半パートが終了し、後半パートへ移行する。
本例の場合は、実際に払い出されたメダルの枚数を計数することなく、メダルの投入枚数とメダルの払出枚数の差枚数が所定枚数に到達するまで実行可能な場合と同等の管理をすることが可能となる。
また、本例のように差枚数と同等の管理をする場合に限定されず、差枚数をそのまま用い、差枚数が６０枚に到達した場合（いわゆるＭＹ６０枚）に前半パートが終了するようにしても良い。
【０１８６】
また、上述した例が、実際にメダルが払い出されたかを問わず、払出枚数と略同等の遊技価値を獲得したものとして記憶するものであるが、払出枚数に依存しないメダルの枚数の場合の他の例としては、レア役は３枚分、他の小役は１枚分などと、払出枚数とは関係なく役に予め定められた枚数分の遊技価値を記憶するようにしても良い。
【０１８７】
ここで、本実施の形態では、「同色ＢＩＧ」は、例えば、前半パートがメダルの枚数６０枚を獲得するまで実行可能であり、後半パートが１０回の遊技を消化するまで実行可能である。
「異色ＢＩＧ」は、例えば、前半パートがメダルの枚数６０枚を獲得するまで実行可能であり、後半パートが１０回の遊技を消化するまで実行可能である。
「上位同色ＢＩＧ」は、例えば、メダルの枚数６０枚を獲得するまで実行可能であり、後半パートが１０回の遊技を消化するまで実行可能である。
「上位異色ＢＩＧ」は、例えば、メダルの枚数６０枚を獲得するまで実行可能であり、後半パートが１０回の遊技を消化するまで実行可能である。
【０１８８】
なお、「同色ＢＩＧ」は、「異色ＢＩＧ」より、終了条件は同じであっても、後述する第２ＡＴ状態移行抽選確率アップ抽選（第１ＡＴ状態開始時）の当選確率が高く設定されており、又、第２ＡＴ状態移行抽選確率アップ抽選（前半パート終了時）の当選確率が高く設定されていることから、第２ＡＴ状態への移行抽選の確率が高くなり、有利な状態となっている。
【０１８９】
また、「上位同色ＢＩＧ」、「上位異色ＢＩＧ」は、後述する第２ＡＴ状態移行抽選確率アップ抽選（第１ＡＴ状態開始時）、第２ＡＴ状態移行抽選確率アップ抽選（前半パート終了時）、及び第２ＡＴ状態移行抽選（同色ＢＩＧ、異色ＢＩＧ、上位同色ＢＩＧ、上位異色ＢＩＧ中）の当選確率が、「同色ＢＩＧ」、「異色ＢＩＧ」よりも高く設定されているため、「同色ＢＩＧ」、「異色ＢＩＧ」よりも有利な状態となっている。
【０１９０】
なお、「ＲＥＧ」は前半パート、後半パートの区分けがなく、メダルの枚数４０枚を獲得することにより終了するようにしていているが、「ＲＥＧ」も同様に前半パートと後半パートとを備えるようにしても良い。
また、本実施の形態では、メダルの獲得枚数により前半パートの終了条件を管理しているが、これに限定されず、上述した差枚数などであっても良い。
【０１９１】
また、前半パートでは、後半パートで実行可能な遊技数の上乗せが可能である。
具体的には、後述するが、後半パート遊技数上乗せ抽選（前半パート中）と、更に、後半パートにおいても後半パート遊技数上乗せ抽選（後半パート中）が行われることにより、後半パートの遊技数を上乗せするか否かの抽選が行われるようにしている。
【０１９２】
また、後半パートは、前半パートより第２ＡＴ状態への移行期待度が高くなるように設定されている。
具体的には、上述したように、後半パートの遊技数が上乗せされる結果、前半パートよりも長く遊技できる可能性が高くなり、後述する第２ＡＴ状態移行抽選（同色ＢＩＧ、異色ＢＩＧ、上位同色ＢＩＧ、上位異色ＢＩＧ中）の抽選回数が多くなることから、第２ＡＴ状態への移行期待度が高くなる場合や、後述する第２ＡＴ状態移行抽選確率アップ抽選（第１ＡＴ状態開始時）に加え、第２ＡＴ状態移行抽選確率アップ抽選（前半パート終了時）もされることになり、後半パートの方が、第２ＡＴ状態移行抽選（同色ＢＩＧ、異色ＢＩＧ、上位同色ＢＩＧ、上位異色ＢＩＧ中）の第２ＡＴ状態への移行抽選の抽選確率が高くなる可能性が高い場合などがある。
【０１９３】
また、第２ＡＴ状態移行抽選確率アップ抽選（前半パート終了時）の抽選結果を問わず、元々第２ＡＴ状態移行抽選（同色ＢＩＧ、異色ＢＩＧ、上位同色ＢＩＧ、上位異色ＢＩＧ中）の抽選確率が、後半パートの方が高く設定されていることから、後半パートの方が、前半パートより第２ＡＴ状態への移行期待度が高くなるように設定されている。
【０１９４】
また、本実施の形態では、第１ＡＴ状態の前半パートをメダルの獲得枚数で、後半パートを第２ＡＴ状態への移行期態度の高い遊技の遊技数で、それぞれ終了条件を管理している。
これは、前半パートを第２ＡＴ状態への移行期態度の高い状態とし、後半パートを低い状態とした場合は、前半パートの終了後は、第２ＡＴ状態への移行期待度の低い遊技が続くことになり、又、後半パートの遊技数の上乗せがされた場合は、より第２ＡＴ状態への移行期態度が低い遊技が長くなり、後半パートにおける遊技者の興趣の低下をもたらすことになるという問題点があるためである。また、前半パートを遊技数で、後半パートを第２ＡＴ状態への移行期態度の高い遊技におけるメダルの獲得枚数で、それぞれ管理する場合は、後半パートの役抽選の結果によっては後半パートの長さの差が大きくなりすぎてしまい、遊技のバランスが崩れるおそれが生じるという問題点があるためである。
また、前半パートも後半パートもメダルの獲得枚数で管理するとした場合は、役抽選の結果によっては、特に後半パートの長さの差が大きくなりすぎてしまい、又、前半パートも後半パートも遊技数で管理するとした場合は、役抽選の結果によっては、メダルの獲得枚数の差が大きくなりすぎてしまい、遊技のバランスが崩れるおそれがあるため、本実施の形態では採用していない。
【０１９５】
また、第１ＡＴ状態では、（１）画像パターン抽選、（２）第２ＡＴ状態移行抽選確率アップ抽選（第１ＡＴ状態開始時）、（３）後半パート遊技数上乗せ抽選（前半パート中）、（４）第２ＡＴ状態移行抽選確率アップ抽選（前半パート終了時）、（５）後半パート遊技数上乗せ抽選（後半パート中）、（６）第２ＡＴ状態移行抽選（同色ＢＩＧ、異色ＢＩＧ、上位同色ＢＩＧ、上位異色ＢＩＧ中）、（７）第２ＡＴ状態移行抽選（ＲＥＧ中）、（８）ステージ昇格抽選（ＲＥＧ中）、が行われる。
【０１９６】
なお、第１ＡＴ状態で行われる抽選は、上述のものに限定されず、又、上述のもののうち、実行されない抽選があっても良い。
また、第１ＡＴ状態で行われる抽選は、遊技者によるスタートスイッチ40操作時に行われるが、これに限定されない。
【０１９７】
（１）画像パターン抽選は、第１ＡＴ状態の開始時に行われ、設定値を報知するパターンを抽選により決定するものである。
設定値を報知するパターンとしては、設定値が奇数であることを示唆するパターン、設定値が偶数であることを示唆するパターン、設定値が２以上であることを報知するパターン、設定値が５又は６であることを報知するパターンが含まれるが、これに限定されない。
【０１９８】
また、設定値の報知は、本抽選の後、直ちに実行されるが、これに限定されず、他のタイミング、例えば、報知実行抽選を行い当該抽選に当選した場合に実行することや、第１ＡＴ状態の終了時に実行すること、第１ＡＴ状態の途中で実行すること、などであっても良い。
【０１９９】
（２）第２ＡＴ状態移行抽選確率アップ抽選（第１ＡＴ状態開始時）は、同色ＢＩＧ、異色ＢＩＧ、上位同色ＢＩＧ、上位異色ＢＩＧの開始時に行われ、後述する第２ＡＴ状態移行抽選（同色ＢＩＧ、異色ＢＩＧ、上位同色ＢＩＧ、上位異色ＢＩＧ中）で行われる第２ＡＴ状態への移行抽選の確率を上昇させるか否かの抽選を行うものである。
【０２００】
（３）後半パート遊技数上乗せ抽選（前半パート中）は、同色ＢＩＧ、異色ＢＩＧ、上位同色ＢＩＧ、上位異色ＢＩＧの前半パートにおいて行われ、後半パートの遊技数を上乗せするか否かの抽選を行うものである。
ここで、上乗せされる遊技数は、５、１０、２０のうちから抽選により決定される。
本実施の形態では、役抽選により予め定められた当選役グループに当選することにより行われ、当選した当選役グループ毎に、上乗せされる遊技数の当選確率が異なるように設定されている。
なお、役抽選により予め定められた当選役グループに当選することにより行われる場合に限定されず、毎遊技行うようにしても良いし、又、当選した当選役グループにかかわらず、上乗せされる遊技数の当選確率を同じにしても良い。
【０２０１】
（４）第２ＡＴ状態移行抽選確率アップ抽選（前半パート終了時）は、同色ＢＩＧ、異色ＢＩＧ、上位同色ＢＩＧ、上位異色ＢＩＧの前半パートの終了時に、後半パート遊技数上乗せ抽選で遊技数の上乗せがされていなく、かつ、後述する第２ＡＴ状態移行抽選（同色ＢＩＧ、異色ＢＩＧ、上位同色ＢＩＧ、上位異色ＢＩＧ中）の抽選により第２ＡＴ状態への移行が決定されていない場合に行われ、上述した第２ＡＴ状態移行抽選確率アップ抽選（第１ＡＴ状態開始時）と同様、第２ＡＴ状態移行抽選（同色ＢＩＧ、異色ＢＩＧ、上位同色ＢＩＧ、上位異色ＢＩＧ中）で行われる第２ＡＴ状態への移行抽選の確率を上昇させるか否かの抽選を行うものである。
【０２０２】
（５）後半パート遊技数上乗せ抽選（後半パート中）は、同色ＢＩＧ、異色ＢＩＧ、上位同色ＢＩＧ、上位異色ＢＩＧの後半パート中に行われ、後半パートの遊技数を上乗せするか否かの抽選を行うものである。
本実施の形態では、役抽選により予め定められた役、例えば、当選役グループ「ＮＣＨ」、「ＷＭ」、「ＨＣＨ」、「ＳＰＡ」、「ＳＰＢ」に当選した場合に行われ、上乗せされる遊技数は、上述した後半パート遊技数上乗せ抽選（前半パート中）の遊技数と同じ、５、１０、２０のうちから抽選により決定される。
【０２０３】
なお、役抽選により予め定められた役に当選することにより行われる場合に限定されず、毎遊技行うようにしても良いし、又、上乗せされる遊技数は、後半パート遊技数上乗せ抽選（前半パート中）と同じ場合に限定されず、後半パート遊技数上乗せ抽選（前半パート中）よりも多くても、少なくても良い。
【０２０４】
（６）第２ＡＴ状態移行抽選（同色ＢＩＧ、異色ＢＩＧ、上位同色ＢＩＧ、上位異色ＢＩＧ中）は、同色ＢＩＧ、異色ＢＩＧ、上位同色ＢＩＧ、上位異色ＢＩＧ中に行われ、第２ＡＴ状態へ移行するか否かの抽選を行うものである。
本実施の形態では、役抽選により予め定められた役、例えば、当選役グループ「ＮＸＰ１」、「ＮＸＰ２」に当選した場合に行われる。
また、本抽選の当選確率は、上述したように、第２ＡＴ状態移行抽選確率アップ抽選（第１ＡＴ状態開始時）、第２ＡＴ状態移行抽選確率アップ抽選（前半パート終了時）に当選した場合は、当選しない場合に比べ高確率になっている。
【０２０５】
なお、役抽選により予め定められた役に当選することにより行われる場合に限定されず、毎遊技行うようにしても良い。
本抽選に当選した場合は、後半パートの終了後、ＡＴランク決定ゾーンを経て、第２ＡＴ状態へ移行する。
【０２０６】
また、第２ＡＴ状態移行抽選（同色ＢＩＧ、異色ＢＩＧ、上位同色ＢＩＧ、上位異色ＢＩＧ中）は、第２ＡＴ状態へ移行することが決定された場合においても、同色ＢＩＧ、異色ＢＩＧ、上位同色ＢＩＧ、上位異色ＢＩＧ中は引き続き実行され、この場合は、後述する第２ＡＴ状態のステージを昇格させるか否かの抽選となる。
すなわち、第２ＡＴ状態移行抽選（同色ＢＩＧ、異色ＢＩＧ、上位同色ＢＩＧ、上位異色ＢＩＧ中）に初めて当選した場合は、第２ＡＴ状態への移行が確定すると共に、第２ＡＴ状態へ移行した場合に使用するステージが「１」に設定され、２回目に当選した場合は、第２ＡＴ状態のステージが「１」から「２」に昇格され、３回目に当選した場合は、第２ＡＴ状態のステージが「２」から「３」に昇格されるようにしている。
【０２０７】
なお、本抽選により決定された第２ＡＴ状態へ移行した場合に使用するステージの段階は、遊技者に報知しても良い。
ステージの段階を遊技者に報知するようにした場合は、第２ＡＴ状態へ移行する前から、第２ＡＴ状態の有利度が変わるステージを昇格させるかなどについて、遊技者に注目させて、第２ＡＴ状態が始まる前から、興趣を向上させることができるようになる。
【０２０８】
また、第２ＡＴ状態移行抽選（同色ＢＩＧ、異色ＢＩＧ、上位同色ＢＩＧ、上位異色ＢＩＧ中）に初めて当選した場合は、上述した第２ＡＴ状態移行抽選確率アップ抽選（第１ＡＴ状態開始時）、第２ＡＴ状態移行抽選確率アップ抽選（前半パート終了時）において上昇された確率は元の確率に戻り、第２ＡＴ状態のステージを昇格させるか否かの抽選は、元の上昇していない確率で行われる。
【０２０９】
（７）第２ＡＴ状態移行抽選（ＲＥＧ中）は、ＲＥＧ中に行われ、第２ＡＴ状態へ移行するか否かの抽選を行うものである。
本実施の形態では、役抽選により予め定められた役、例えば、当選役グループ「ＮＸＰ１」、「ＮＸＰ２」、「ＮＣＨ」、「ＨＣＨ」、「ＳＰＡ」、「ＳＰＢ」、「ＷＭ」に当選した場合に行われる。
【０２１０】
また、上述した予め定められた役のうち、例えば、当選役グループ「ＮＸＰ１」、「ＮＸＰ２」に当選した遊技で第２ＡＴ状態への移行が決定された場合は、後述する第２ＡＴ状態のステージを「３」に設定し、他の役に当選した遊技で第２ＡＴ状態への移行が決定された場合は「１」に設定する。
本抽選に当選した場合は、「ＲＥＧ」の終了後、ＡＴランク決定ゾーンを経て、第２ＡＴ状態へ移行する。
【０２１１】
（８）ステージ昇格抽選（ＲＥＧ中）は、上述した第２ＡＴ状態移行抽選（ＲＥＧ中）により第２ＡＴ状態への移行が決定されたＲＥＧ中に行われ、第２ＡＴ状態のステージを昇格させるか否かの抽選を行うものである。
本抽選に当選した場合は、ステージが「１」の場合は「２」、「２」の場合は「３」に昇格される。
【０２１２】
（ＡＴランク決定ゾーン）
ＡＴランク決定ゾーンは、特定状態の一例であり、第１ＡＴ状態において第２ＡＴ状態へ移行することが決定された場合に、第２ＡＴ状態へ移行する前に移行する状態であり、第２ＡＴ状態中に実行される第２ＡＴ状態を継続するか否かの継続抽選の継続率を決定する状態である。
【０２１３】
ここで、第２ＡＴ状態を継続するか否かの継続抽選の継続率は、ランクにより定められており、例えば、ランク０が継続率４０％、ランク１が継続率４５％、ランク２が継続率５０％、ランク３が継続率５５％、ランク４が継続率６０％、ランク５が継続率６５％、ランク６が継続率７０％、ランク７が継続率７５％、ランク８が継続率８０％、ランク９が継続率８５％、ランク１０が継続率９０％、に設定されている。そして、ＡＴランク決定ゾーンでは、後述するようにランクを抽選により決定することで、継続抽選の継続率を決定している。
なお、継続率は、上述した例に限定されない。
【０２１４】
ＡＴランク決定ゾーンの遊技数は、非有利区間から有利区間へ移行後、初めてＡＴランク決定ゾーンに移行してきた場合は１１ゲーム、２回目以降にＡＴランク決定ゾーンに移行してきた場合は１１ゲームよりも短い７ゲームに設定されている。
すなわち、第１ＡＴ状態から第２ＡＴ状態へ移行することが決定されて移行してきた１回目のＡＴランク決定ゾーンの遊技数は１１ゲームであり、後述する継続抽選に当選しなかった場合や、引き戻し抽選に当選することにより第２ＡＴ状態に引き戻すことが決定されることにより２回目以降にＡＴランク決定ゾーンに移行してきた場合の遊技数は７ゲームである。
なお、有利区間から非有利区間へ移行後、再度、有利区間へ移行してきた場合は、同様に、１回目のＡＴランク決定ゾーンとなり、１１ゲームである。
【０２１５】
なお、本実施の形態では、ＡＴ状態にＡＴランク決定ゾーンを備え、継続抽選の継続率を決定しているが、ＡＴランク決定ゾーンを備えず、第１ＡＴ状態や第２ＡＴ状態で継続抽選の継続率を決定するようにしても良い。
【０２１６】
また、ＡＴランク決定ゾーンでは、（１）ランク抽選、（２）ランク昇格抽選（ＡＴランク決定ゾーン中）が行われる。
【０２１７】
なお、ＡＴランク決定ゾーンで行われる抽選は、上述のものに限定されず、又、上述のもののうち、実行されない抽選があっても良い。
また、ＡＴランク決定ゾーンで行われる抽選は、遊技者によるスタートスイッチ40操作時に行われるが、これに限定されない。
【０２１８】
（１）ランク抽選は、ＡＴランク決定ゾーンの開始時に行われ、継続率を定めたランクを抽選により決定するものである。
本実施の形態では、上述した０〜１０のランクのうち、０〜３が抽選により決定されるようにしている。
そして、ランク４〜１０は、後述するランク昇格抽選（ＡＴランク決定ゾーン中）による抽選により決定されるようにしている。
【０２１９】
また、本抽選により決定されたランクは、遊技者に報知されるが、報知しないようにしても良い。
ランクを遊技者に報知するようにした場合は、第２ＡＴ状態の有利度が変わるランクを昇格させるかなどについて、遊技者に注目させて、第２ＡＴ状態が始まる前から、興趣を向上させることができるようになる。
【０２２０】
（２）ランク昇格抽選（ＡＴランク決定ゾーン中）は、ＡＴランク決定ゾーン中に行われ、ランク抽選により決定されたランクを継続率の高いランクへ昇格させるか否かのランク昇格抽選を行うものである。
本実施の形態では、ランク昇格抽選には、ランクを１段階昇格させる場合と、ランクを２段階昇格させる場合とが含まれる。
また、本抽選によりランクが昇格された場合は、昇格された旨と昇格したランクとが遊技者に報知されるが、報知しないようにしても良い。
【０２２１】
（第２ＡＴ状態）
第２ＡＴ状態は、第２状態の一例であり、遊技者に特典を与える期待度の異なる複数段階のステージを有するものである。
ここで、「特典」には、後述するように、第２ＡＴ状態中に役抽選によりＡＴ役（当選役グループ「ＡＴＡ１」〜「ＡＴＡ１２」）に当選した場合に、当該当選したＡＴ役の正解の押し順を報知することが含まれる。
「期待度」には、特典を与えるか否かの抽選確率を含む（後述するナビ発生抽選の抽選確率）。
【０２２２】
また、「ステージ」は、複数段階、本実施の形態では、「１」〜「３」まで設けられ、上述したステージ抽選の一例である第２ＡＴ状態移行抽選（同色ＢＩＧ、異色ＢＩＧ、上位同色ＢＩＧ、上位異色ＢＩＧ中）により決定される。
【０２２３】
なお、第２ＡＴ状態は、ＡＴ状態の中心的な状態であり、ＡＴ状態には、第２ＡＴ状態のみ備えるようにしても良い。
【０２２４】
また、第２ＡＴ状態は、所定の遊技区間、本実施の形態では、３３ゲーム、実行可能であり、前半の２９ゲームでは第２ＡＴ状態の通常の演出が実行され、後半の４ゲームでは、第２ＡＴ状態の遊技数が残り少ないことや第２ＡＴ状態中に行われる継続抽選の結果を報知する演出が実行される。
【０２２５】
第２ＡＴ状態では、後述するように、ランクに基づいた継続率により継続抽選（第２ＡＴ状態継続抽選１、第２ＡＴ状態継続抽選２、第２ＡＴ状態継続抽選３）が行われ、当該継続抽選に当選した場合は、第２ＡＴ状態を途中で終了させて、次遊技から後述する第３ＡＴ状態へ移行させる。
そのため、継続抽選は、第３ＡＴ状態への移行抽選でもある。
そして、当該第３ＡＴ状態の終了後、第２ＡＴ状態の遊技区間を再設定して、第２ＡＴ状態を最初の遊技から、すなわち、第３ＡＴ状態へ移行した遊技から第２ＡＴ状態を再開させるのではなく、第２ＡＴ状態を所定の遊技区間の初めから開始させる。
【０２２６】
また、初めから開始される第２ＡＴ状態は、第３ＡＴ状態で行われた後述するランク昇格抽選（ランク昇格抽選１、ランク昇格抽選２、ランク昇格抽選３）によりランクが昇格された場合は、当該昇格されたランクと、ステージ昇格抽選（ステージ昇格抽選（第１段階中）、ステージ昇格抽選（第２段階中））によりステージが昇格された場合は、当該昇格されたステージで第２ＡＴ状態が開始される。
【０２２７】
また、第２ＡＴ状態中に行われる継続抽選に当選した場合は、第２ＡＴ状態を終了させて、第３ＡＴ状態へ移行するが、第３ＡＴ状態へ移行する前に第３ＡＴ状態へ移行することを遊技者に示唆する前兆を、残りの第２ＡＴ状態の遊技数以内の遊技数実行してから移行するようにしている。
なお、本前兆を実行することなく、第２ＡＴ状態から第３ＡＴ状態へ移行するようにしても良い。
【０２２８】
また、第２ＡＴ状態中に行われる継続抽選に当選しない場合は、第２ＡＴ状態の終了後、第３ＡＴ状態へ移行することを遊技者に示唆するガセ前兆を所定時間消化してから、ステージが最下段である「１」ではない場合、すなわち、ステージが「２」又は「３」である場合は、ステージを１段階降格して、ＡＴランク決定ゾーンへ移行を経て、第２ＡＴ状態へ移行し、ステージが最下段である「１」の場合は、非有利区間通常状態へ移行するようにしている。
すなわち、ステージの段階を示す数値は、第２ＡＴ状態を実行可能な回数も示している。
【０２２９】
具体的には、ステージが「３」であった場合は「２」に降格して、次の第２ＡＴ状態ではステージが「２」に設定され、ステージが「２」であった場合は「１」に降格して、次の第２ＡＴ状態ではステージが「１」に設定される。
そして、後述するように、ステージが降格することに伴い、遊技者に特典として、ＡＴ役の正解の押し順を報知する確率（ナビ発生抽選の当選確率）が下がることとなる。
【０２３０】
なお、ステージが最下段である「１」の場合は、非有利区間通常状態へ移行する場合に限定されず、再度第２ＡＴ状態へ移行するか否かの引き戻し抽選が行われる引き戻し状態へ移行するようにしても良い。
この場合は、引き戻し抽選に当選することにより、ＡＴランク決定ゾーンを経て、ステージ「１」の第２ＡＴ状態へ移行し、引き戻し抽選に当選しない場合は、非有利区間通常状態へ移行することとなる。
【０２３１】
また、第２ＡＴ状態では、（１）第３ＡＴ状態移行抽選、（２）第３ＡＴ状態種類抽選１、（３）第３ＡＴ状態種類抽選２、（４）ナビ発生抽選、（５）第２ＡＴ状態継続抽選１、（６）第２ＡＴ状態継続抽選２、（７）第２ＡＴ状態継続抽選３、が行われる。
【０２３２】
なお、第２ＡＴ状態で行われる抽選は、上述のものに限定されず、又、上述のもののうち、実行されない抽選があっても良い。
また、第２ＡＴ状態で行われる抽選は、遊技者によるスタートスイッチ40操作時に行われるが、これに限定されない。
【０２３３】
（１）第３ＡＴ状態移行抽選は、第２ＡＴ状態の開始時に行われ、第２ＡＴ状態の終了後、第３ＡＴ状態へ移行するか否かを抽選により決定するものである。
【０２３４】
（２）第３ＡＴ状態種類抽選１は、第２ＡＴ状態の開始時に行われ、ステージが「１」、ランクが０〜５、ＡＴ消化遊技数が所定回数、例えば１５０回以下、の条件を全て満たす場合に行われる抽選であり、第３ＡＴ状態の種類として、「特殊ＲＥＧ」を獲得するか否かを抽選により決定するものである。
【０２３５】
本抽選に当選することにより、第３ＡＴ状態の種類が「特殊ＲＥＧ」に設定される。
ここで、「ＡＴ消化遊技数」は、ＡＴランク決定ゾーン以降の消化遊技数を意味するが、第１ＡＴ状態以降の消化遊技数であっても良い。
【０２３６】
（３）第３ＡＴ状態種類抽選２は、上述した第３ＡＴ状態種類抽選１でハズレ又は第３ＡＴ状態種類抽選１の抽選の条件を満たさない場合の第２ＡＴ状態の開始時に行われ、第３ＡＴ状態の種類を決定するものである。
ここで、決定される第３ＡＴ状態の種類は、後述するが、「同色ＢＩＧ」、「異色ＢＩＧ」、「ＲＥＧ」、「上位ＲＥＧ」がある。
【０２３７】
ここで、後述するように「ＲＥＧ」よりも「上位ＲＥＧ」の方がランク昇格ポイント抽選、ランク昇格抽選２により、ランクが昇格しやすいことなどから遊技者にとって有利であり、「上位ＲＥＧ」よりも「異色ＢＩＧ」の方がメダルの払い出しの期待値が高いことから遊技者にとって有利であり、「異色ＢＩＧ」よりも「同色ＢＩＧ」の方がランク昇格ポイント抽選、ランク昇格抽選２により、ランクが昇格しやすいことなどから遊技者にとって有利に設定されている。
【０２３８】
（４）ナビ発生抽選は、第２ＡＴ状態中に役抽選によりＡＴ役（当選役グループ「ＡＴＡ１」〜「ＡＴＡ１２」）に当選した場合に行われ、ステージ毎に予め定められた抽選確率に基づいて、遊技者に特典として、当該当選したＡＴ役の正解の押し順を報知するか否かを抽選により決定するものである。
【０２３９】
例えば、ステージが「１」の場合は４０％の抽選確率が設定されており、ステージが「２」の場合は６０％の抽選確率が設定されており、ステージが「３」の場合は１００％の抽選確率が設定されている。
本抽選に当選することにより、ＡＴ役の正解の押し順が報知され、遊技者は当該報知された正解の押し順に従ってストップスイッチ50を操作することにより、当選役グループ「ＡＴＡ１」〜「ＡＴＡ１２」に含まれる役のうち、「ＡＴ＿１」〜「ＡＴ＿６」が成立（入賞）し、１０枚のメダルの払い出しを得ることが可能となる（図８参照）。
かかるＡＴ役の正解の押し順の報知は、表示装置84と払出枚数表示器88で実行される。
なお、本抽選に当選しない場合は、ＡＴ役の正解の押し順は報知されない。
【０２４０】
そのため、ステージが「１」の場合よりステージが「２」の場合、ステージが「２」の場合よりステージが「３」の場合の方が、ナビ発生抽選に当選しやすいことから、遊技者が獲得できるメダルの枚数が多くなる。
【０２４１】
上述したように、ステージが最下段の「１」ではない「２」又は「３」である場合は、継続抽選（第２ＡＴ状態継続抽選１、第２ＡＴ状態継続抽選２、第２ＡＴ状態継続抽選３）に当選しない場合であっても、ステージを１段階降格させて第２ＡＴ状態を継続させるため、１段階ステージが降格された第２ＡＴ状態では、ナビ発生抽選の当選確率も下がることとなる。
したがって、ナビ発生抽選の当選確率を下げて、第２ＡＴ状態を継続することが可能となる。
【０２４２】
なお、ステージ毎の抽選確率は、上述した例に限定されない。
【０２４３】
また、当該ナビ発生抽選に当選しない場合であっても、ＡＴ役の正解の押し順が報知される場合がある。
例えば、ステージが「１」の場合は、役抽選により当選役グループ「ＨＺ」が当選したハズレの場合、又は、ナビ発生抽選に当選しない場合、が２回連続した場合は、次のＡＴ役（当選役グループ「ＡＴＡ１」〜「ＡＴＡ１２」）が当選した遊技では必ず正解の押し順が報知されるようにしている。
また、ステージが「２」の場合は、役抽選により当選役グループ「ＨＺ」が当選したハズレの場合、又は、ナビ発生抽選に当選しない場合、の次の遊技では必ず正解の押し順が報知されるようにしている。
【０２４４】
（５）第２ＡＴ状態継続抽選１は、第２ＡＴ状態の前半の２９ゲームにおいて行われ、ランクに基づいた第２ＡＴ状態を継続するか否かの継続抽選を行うものである。
本実施の形態では、本抽選は、役抽選により予め定められた役、例えば、当選役グループ「ＮＣＨ」、「ＨＣＨ」、「ＳＰＡ」、「ＳＰＢ」、「ＷＭ」に当選した場合に行われる。
【０２４５】
なお、役抽選により予め定められた役に当選することにより行われる場合に限定されず、毎遊技行うようにしても良い。
そして、本継続抽選に当選した場合は、第２ＡＴ状態の残りの遊技数以内の遊技数の前兆を実行した後、第３ＡＴ状態へ移行する。
【０２４６】
（６）第２ＡＴ状態継続抽選２は、第２ＡＴ状態中において第２ＡＴ状態継続抽選１の他に行われる継続抽選であり、役抽選により予め定められた役、例えば、当選役グループ「ＮＸＰ１」、「ＮＸＰ２」、「ＰＺ」、「ＡＴＡ１」〜「ＡＴＡ１２」に当選した場合に、ランクに基づいた第２ＡＴ状態を継続するか否かの継続抽選を行うものである。
【０２４７】
なお、役抽選により予め定められた役に当選することにより行われる場合に限定されず、毎遊技行うようにしても良い。
そして、本継続抽選に当選した場合は、第２ＡＴ状態の残りの遊技数以内の遊技数の前兆を実行した後、第３ＡＴ状態へ移行する。
【０２４８】
（７）第２ＡＴ状態継続抽選３は、第２ＡＴ状態中に行われる継続抽選であり、役抽選により当選役グループ「ＨＺ」が当選したハズレの場合に、ランクに基づいた第２ＡＴ状態を継続するか否かの継続抽選を行うものである。
本抽選は、当選役グループ「ＨＺ」が１回目の場合は、継続抽選にハズレるように設定されており、当選役グループ「ＨＺ」が連続した場合、例えば、２回連続した場合、３回連続した場合など、に継続抽選に当選する場合があるように設定されている。
そして、本継続抽選に当選した場合は、第２ＡＴ状態の残りの遊技数以内の遊技数の前兆を実行した後、第３ＡＴ状態へ移行する。
【０２４９】
（第３ＡＴ状態）
第３ＡＴ状態は、第３状態の一例であり、第２ＡＴ状態において行われる継続抽選（第２ＡＴ状態継続抽選１、第２ＡＴ状態継続抽選２、第２ＡＴ状態継続抽選３）に当選することにより移行してくる状態であり、後述するように、ランクを継続率の高いランクへ昇格させるか否かのランク昇格抽選（ランク昇格抽選１、ランク昇格抽選２、ランク昇格抽選３）と、ステージを期待度の高いステージで昇格させるか否かのステージ昇格抽選（ステージ昇格抽選（第１段階中）、ステージ昇格抽選（第２段階中））とが行われる。
そして、第３ＡＴ状態終了後、第２ＡＴ状態へ移行する。
【０２５０】
なお、第３状態の一例は、第３ＡＴ状態に限定されず、第２状態の一例である第２ＡＴ状態における継続抽選に当選することにより移行し、ステージ昇格抽選が行われる状態であれば、種類を問わず、本実施の形態のようにＡＴ状態でなくても良い。そのため、第２ＡＴ状態ステージ昇格抽選状態とも言える。
【０２５１】
第３ＡＴ状態には、本実施の形態では、「同色ＢＩＧ」、「異色ＢＩＧ」、「ＲＥＧ」、「上位ＲＥＧ」、「特殊ＲＥＧ」を備える。
ここで、「同色ＢＩＧ」は、例えば、前半パートがメダルの枚数１３０枚を獲得するまで実行可能であり、後半パートが１回の遊技を消化するまで実行可能である。
ここで、「異色ＢＩＧ」は、例えば、前半パートがメダルの枚数１３０枚を獲得するまで実行可能であり、後半パートが１回の遊技を消化するまで実行可能である。
「ＲＥＧ」は、例えば、前半パートがメダルの枚数５０枚を獲得するまで実行可能であり、後半パートが１回の遊技を消化するまで実行可能である。
「上位ＲＥＧ」は、例えば、前半パートがメダルの枚数５０枚を獲得するまで実行可能であり、後半パートが１回の遊技を消化するまで実行可能である。
「特殊ＲＥＧ」は、例えば、２０回の遊技を消化するまで実行可能である。
【０２５２】
また、前半パートの終了条件の管理は、上述した第１ＡＴ状態の前半パートの終了条件の管理と同様であり、メダルの獲得枚数ではなく、差枚数などにより管理するようにしても良い。
【０２５３】
なお、「同色ＢＩＧ」は、「異色ＢＩＧ」より、終了条件は同じであっても、後述するランク昇格ポイント抽選、ランク昇格抽選２の当選確率が高く設定されていることから、有利な状態となっている。
【０２５４】
また、「上位ＲＥＧ」は、「ＲＥＧ」よりも、後述する後述するランク昇格ポイント抽選、ランク昇格抽選２の当選確率が高く設定されていることから、有利な状態となっている。
【０２５５】
また、第３ＡＴ状態の開始時に、遊技の進行を停止するいわゆるフリーズを実行し、第３ＡＴ状態の種類（「同色ＢＩＧ」、「異色ＢＩＧ」、「ＲＥＧ」、「上位ＲＥＧ」、「特殊ＲＥＧ」）に応じて、リール演出を実行するようにしている。
ここで、第３ＡＴ状態の種類に応じて実行するリール演出には、第３ＡＴ状態の種類毎に予め定められたリール演出を実行することや、第３ＡＴ状態の種類毎に予め定められた抽選確率で、時間や内容の異なる複数のリール演出のうちから抽選で決定すること、などを含む。
これにより、実行されたリール演出から第３ＡＴ状態の種類を推測することなどの遊技性を提供することも可能となる。
【０２５６】
また、第３ＡＴ状態では、（１）ステージ昇格抽選（第１段階中）、（２）ステージ昇格抽選（第２段階中）、（３）ランク昇格ポイント抽選、（４）ランク昇格抽選１、（５）ランク昇格抽選２、（６）ランク昇格抽選３、（７）第３ＡＴ状態ストック抽選、（８）特殊ＲＥＧ遊技数上乗せ抽選１、（９）特殊ＲＥＧ遊技数上乗せポイント抽選、（１０）特殊ＲＥＧ遊技数上乗せ抽選２が行われる。
【０２５７】
なお、第３ＡＴ状態で行われる抽選は、上述のものに限定されず、又、上述のもののうち、実行されない抽選があっても良い。
また、第３ＡＴ状態で行われる抽選は、遊技者によるスタートスイッチ40操作時に行われるが、これに限定されない。
【０２５８】
（１）ステージ昇格抽選（第１段階中）は、第３ＡＴ状態中に行われ、現在のステージが「１」で、第３ＡＴ状態の種類が「同色ＢＩＧ」、「異色ＢＩＧ」、「ＲＥＧ」、「上位ＲＥＧ」の場合に行われる抽選であり、ステージを昇格させるか否かのステージ昇格抽選を行うものである。
【０２５９】
本抽選に当選することにより、ステージが「１」から「２」に昇格される。
また、本抽選は、本実施の形態では、役抽選により予め定められた役、例えば、当選役グループ「ＮＸＰ１」、「ＮＸＰ２」に当選した場合に行われるが、これに限定されず、他の役に当選した場合に行っても良いし、又、役抽選の結果にかかわらず行っても良い。
【０２６０】
（２）ステージ昇格抽選（第２段階中）は、第３ＡＴ状態中に行われ、現在のステージが「２」で、第３ＡＴ状態の種類が「同色ＢＩＧ」、「異色ＢＩＧ」、「ＲＥＧ」、「上位ＲＥＧ」の場合に行われる抽選であり、ステージを昇格させるか否かのステージ昇格抽選を行うものである。
【０２６１】
本抽選に当選することにより、ステージが「２」から「３」に昇格される。
また、本抽選は、本実施の形態では、役抽選により予め定められた役、例えば、当選役グループ「ＮＸＰ１」、「ＮＸＰ２」に当選した場合に行われるが、これに限定されず、他の役に当選した場合に行っても良いし、又、役抽選の結果にかかわらず行っても良い。
【０２６２】
（３）ランク昇格ポイント抽選は、第３ＡＴ状態中に行われ、第３ＡＴ状態の種類が「同色ＢＩＧ」、「異色ＢＩＧ」、「ＲＥＧ」、「上位ＲＥＧ」の場合に行われる抽選であり、後述するランク昇格抽選１で使用されるランク昇格ポイントを獲得するか否の抽選である。
【０２６３】
ここで、本実施の形態では、本抽選の当選確率は、第３ＡＴ状態の種類によって異なるように設定されている。
例えば、「同色ＢＩＧ」の方が、「異色ＢＩＧ」よりも高く設定されており、又、「上位ＲＥＧ」の方が「ＲＥＧ」よりも高く設定されている。
なお、第３ＡＴ状態の種類によって当選確率を異ならせる場合に限定されず、第３ＡＴ状態の種類にかかわらない当選確率で抽選されるようにしても良い。
【０２６４】
（４）ランク昇格抽選１は、第３ＡＴ状態の種類が「同色ＢＩＧ」、「異色ＢＩＧ」、「ＲＥＧ」、「上位ＲＥＧ」の枚数パートの最終遊技において行われ、ランク昇格ポイント抽選で獲得したランク昇格ポイントに基づいて、ランク昇格抽選を行うものである。
本抽選に当選することにより、ランクが１段階昇格される。
【０２６５】
（５）ランク昇格抽選２は、第３ＡＴ状態の種類が「同色ＢＩＧ」、「異色ＢＩＧ」、「ＲＥＧ」、「上位ＲＥＧ」の場合に行われ、ランク昇格ポイントが所定のポイント、例えば、７ポイント、に到達した場合に行われるランク昇格抽選である。
【０２６６】
ここで、本実施の形態では、本抽選の当選確率は、第３ＡＴ状態の種類によって異なるように設定されている。
例えば、「同色ＢＩＧ」の方が、「異色ＢＩＧ」よりも高く設定されており、又、「上位ＲＥＧ」の方が「ＲＥＧ」よりも高く設定されている。
なお、第３ＡＴ状態の種類によって当選確率を異ならせる場合に限定されず、第３ＡＴ状態の種類にかかわらない当選確率で抽選されるようにしても良い。
【０２６７】
本抽選に当選することにより、ランクが１段階昇格される。
また、ランクが「１０」の場合に本抽選に当選した場合は、第３ＡＴ状態を１個ストックする。
すなわち、第３ＡＴ状態のゲーム数を消化後、再度、第３ＡＴ状態を開始させる権利を取得することができる。
【０２６８】
本実施の形態では、本抽選は、役抽選により予め定められた役、例えば、当選役グループ「ＮＣＨ」、「ＨＣＨ」、「ＳＰＡ」、「ＳＰＢ」、「ＷＭ」に当選した場合に行われる。
なお、役抽選により予め定められた役に当選することにより行われる場合に限定されず、毎遊技行うようにしても良い。
【０２６９】
（６）ランク昇格抽選３は、第３ＡＴ状態の後半パート中に行われるランク昇格抽選である。
本抽選では、ランクを１ランク昇格させる場合や、２ランク昇格させる場合、ランク１０まで昇格させる場合が抽選される。
【０２７０】
（７）第３ＡＴ状態ストック抽選は、第３ＡＴ状態の後半パート中に行われる抽選であり、第３ＡＴ状態へ移行する権利をストックするか否かを抽選により決定するものである。
【０２７１】
本抽選に当選することにより、第３ＡＴ状態のゲーム数を消化後、再度、第３ＡＴ状態を開始させる権利を取得することができる。
【０２７２】
（８）特殊ＲＥＧ遊技数上乗せ抽選１は、特殊ＲＥＧの開始後、１０ゲーム消化後の１１ゲーム目から行われ、特殊ＲＥＧのゲーム数を上乗せするか否かを抽選により決定するものである。
本抽選に当選することにより、特殊ＲＥＧのゲーム数が、例えば、１５ゲーム上乗せされる。
【０２７３】
（９）特殊ＲＥＧ遊技数上乗せポイント抽選は、特殊ＲＥＧ中に特殊ＲＥＧ遊技数上乗せ抽選１に当選しなかった場合に行われる抽選であり、上乗せポイントを獲得するか否かの抽選である。
【０２７４】
（１０）特殊ＲＥＧ遊技数上乗せ抽選２は、特殊ＲＥＧの最後のゲームで行われる抽選であり、特殊ＲＥＧ遊技数上乗せポイント抽選で獲得された上乗せポイントを使用して、上乗せ抽選を行うものである。
また、本抽選に当選後の、特殊ＲＥＧの残りの遊技では、上述したランク昇格抽選２を実行し、本抽選に当選した場合は、第３ＡＴ状態を１個ストックする。
すなわち、第３ＡＴ状態のゲーム数を消化後、再度、第３ＡＴ状態を開始させる権利を取得することができる。
かかるストックによる再度の第３ＡＴ状態の開始時に、遊技の進行を停止するいわゆるフリーズを実行し、第３ＡＴ状態の種類（「同色ＢＩＧ」、「異色ＢＩＧ」、「ＲＥＧ」、「上位ＲＥＧ」、「特殊ＲＥＧ」）に応じて、リール演出を実行するようにしている。
ここで、第３ＡＴ状態の種類に応じて実行するリール演出には、第３ＡＴ状態の種類毎に予め定められたリール演出を実行することや、第３ＡＴ状態の種類毎に予め定められた抽選確率で、時間や内容の異なる複数のリール演出のうちから抽選で決定すること、などを含む。
これにより、実行されたリール演出から第３ＡＴ状態の種類を推測することなどの遊技性を提供することも可能となる。
【０２７５】
その他、「ＡＴ状態」には、例えば、引き戻し状態を備えても良い。
引き戻し状態は、継続抽選により第２ＡＴ状態を継続することが決定されない場合であり、ステージが最下段である場合に、第２ＡＴ状態から移行し、所定の遊技数の間、例えば３ゲームの間、第２ＡＴ状態を再び行わせるか否かの引き戻し抽選が行われる状態である。
【０２７６】
引き戻し状態を備えた場合は、引き戻し抽選に当選することにより、ＡＴランク決定ゾーンを経て、再度第２ＡＴ状態へ移行する。
また、引き戻し抽選に当選しなかった場合は、非有利区間通常状態へ移行する。
【０２７７】
引き戻し抽選は、本実施の形態では、役抽選により予め定められた役、例えば、当選役グループ「ＮＣＨ」、「ＨＣＨ」、「ＷＭ」、「ＳＰＡ」、「ＳＰＢ」に当選した場合に行われる。
なお、役抽選により予め定められた役に当選することにより行われる場合に限定されず、毎遊技行うようにしても良い。
【０２７８】
（図１８を用いた遊技の基本的な流れの説明）
図１８に示すフローチャートに基づいて、メイン制御基板200が１回の遊技毎に実行する一般的な遊技制御処理について説明する。
【０２７９】
ステップS10において、メイン制御基板200により、スタートスイッチ40の操作があったか否かの判定が行われる。ここで、スタートスイッチ40の操作があったと判定されると、メイン制御基板200により、賭け数の設定が不可能な状態とされる。その後、次のステップS11に進む。一方、スタートスイッチ40の操作がないと判定されると、再度ステップS10となる。
【０２８０】
なお、このステップS10の前提として、賭け数設定処理が行われている。この賭け数設定処理では、賭け数として規定の賭け数が設定されたか否かが判定されるものである。具体的には、メイン制御基板200により、当該遊技の賭け数として設定されているメダルの枚数が規定の賭け数（３枚）に達しているか否かの判定が行われる。
【０２８１】
ステップS11において、役抽選手段210により、役抽選処理が行われる。また、このとき、役抽選の結果がメイン制御基板200からサブ制御基板300へ送信される。役抽選処理が終了すると、次のステップS12に進む。
【０２８２】
ステップS12において、リールユニット60における回転リール62の回転変動処理が行われる。回転リール62が所定の回転速度に達した後、メイン制御基板200により、回転中の回転リール62に対応するストップスイッチ50の操作があった場合に、リール制御手段220により、各回転リール62の回転が停止させられる。このときのストップスイッチ50（左ストップスイッチＬ、中ストップスイッチＣ、右ストップスイッチＲ）の当選役に対応する押し順は、メイン制御基板200に形成された所定の記憶領域に記憶されると共に、その後の処理にて読み出される。
【０２８３】
また、全ての停止操作終了後、メイン制御基板200の送信手段270からサブ制御基板300の受信手段310へ全回転リール62の回転停止情報が送信される。そして、すべての回転リール62の回転変動処理が終了すると、次のステップS13に進む。
ステップS13において、停止図柄判定手段230により、有効ライン86上の図柄61の組み合わせに対して所定の役の図柄61の組み合わせが揃っているか否かの入賞等の判定処理が行われる。ここで、入賞等の判定処理の判定結果のデータは、メイン制御基板200からサブ制御基板300へ送信される。そして、判定処理が終わると、次のステップS14に進む。
【０２８４】
ステップS14において、払出制御手段240により、停止図柄判定手段230の判定結果に対応した払出処理等が行われる。なお、判定結果、払出が不要な場合には、払出処理は行われない。そして、当該処理が終了する。
【０２８５】
なお、本発明は、上述した実施の形態に限定されるものではなく、その趣旨を逸脱しない限りにおいて、上述したもの以外に種々の変更を行うことが可能である。
例えば、上述したように、回転リール62が３個ある場合を用いて説明したが、これに限定されず、３個以外の、例えば４個であっても良い。
【０２８６】
以上のように、本発明では、以下の効果を奏する。
本発明は、後半パートを前半パートより遊技者にとって有利とすることで、後半パートの最後まで興趣を向上させることが可能な遊技機10を提供することができる。
また、前半パートと後半パートとで終了条件の種類を変えることで、変化に富んだ遊技をすることが可能な遊技機10を提供することができる。
【０２８７】
また、本実施の形態のように構成することで、前半パートを第２ＡＴ状態への移行期態度の高い状態とし、後半パートを低い状態とした場合に生じうる、「前半パートの終了後は、第２ＡＴ状態への移行期待度の低い遊技が続くことになり、又、後半パートの遊技数の上乗せがされた場合は、より第２ＡＴ状態への移行期態度が低い遊技が長くなり、後半パートにおける遊技者の興趣の低下をもたらすことになる」、という問題が発生することを防止することが可能となる。
また、同様に、前半パートを所定の遊技数を消化するまで実行可能とし、後半パートを遊技価値を所定の価値分獲得するまで実行可能とした場合に生じうる、「後半パートの役抽選の結果によっては後半パートの長さの差が大きくなりすぎてしまい遊技のバランスが崩れる」、という問題が発生することを防止することが可能となる。
【０２８８】
また、本発明は、さらに、第２ＡＴ状態に移行する前に、第２ＡＴ状態へ移行した場合に使用するステージを決定しておくことができ、第２ＡＴ状態が始まる前から、興趣を向上させることが可能な遊技機10を提供することができる。
かかる効果を奏するために、決定されたステージを遊技者に報知するようにしても良い。
【０２８９】
また、本発明は、さらに、第２ＡＴ状態を継続することが決定された場合は、移行した第３ＡＴ状態でステージを昇格させることが可能となり、第３ＡＴ状態でも単に第２ＡＴ状態へ戻るまでのつなぎの状態ではなく、興趣に富んだ遊技をさせることが可能な遊技機10を提供することができる。
【０２９０】
また、本発明は、さらに、２回目以降に移行してきた場合に遊技数が長いと、遊技者の興趣を低下させる要因となる可能性も有り、かかる遊技者の興趣の低下を防止することが可能な遊技機10を提供することができる。
【０２９１】
また、本発明は、さらに、第２ＡＴ状態を継続することが決定されなかった場合であっても、当該第２ＡＴ状態で与えられる特典の期待度に関連するステージが最下段以外である場合は、第２ＡＴ状態を継続することが可能となり、第２ＡＴ状態での特典と、第２ＡＴ状態の継続とがリンクすることで、遊技者の興趣を向上させることが可能な遊技機10を提供することができる。
【０２９２】
また、本発明は、さらに、第２ＡＴ状態のステージが最下段であっても、第２ＡＴ状態で行われる継続抽選に注目させて、遊技者をハラハラドキドキさせることが可能な遊技機10を提供することができる。
【符号の説明】
【０２９３】
10  遊技機                          12  筐体
14  前扉                            16  図柄表示窓部
17  メダルセレクタ                  18  外部集中端子板
19  扉開閉用スイッチ                20  上パネル
22  下パネル                        24  ホッパーユニット
26  メダル受け皿                    28  メダル払出口
30  操作部                          32  ベットスイッチ
34  マックスベットスイッチ          35  シングルベットスイッチ
36  精算スイッチ                    38  メダル投入口
40  スタートスイッチ                42  演出用ボタンスイッチ
43  電源ユニット                    44  電源スイッチ
45  設定キースイッチ                46  設定変更スイッチ
50  ストップスイッチ                Ｌ  左ストップスイッチ
Ｃ  中ストップスイッチ              Ｒ  右ストップスイッチ
60  リールユニット                  61  図柄
62  回転リール                      63  リール位置センサ
64  左回転リール                    65  リール駆動モータ
66  中回転リール                    67  バックランプ
68  右回転リール                    70  演出装置
72  スピーカー                      74  上部スピーカー
76  下部スピーカー                  78  演出用ランプ
80  上部ランプ                      82  下部ランプ
84  表示装置                        86  有効ライン
87  クレジット表示器                88  払出枚数表示器
89  設定表示器                      90  区間報知ランプ
92  投入センサ                      94  払出センサ
95  ホッパーモータ                  96  オーバーフローセンサ
100  制御装置
200  メイン制御基板                 210  役抽選手段
220  リール制御手段                 230  停止図柄判定手段
240  払出制御手段                   250  遊技制御手段
251  ノーマル遊技状態制御手段       252  ボーナス内部中状態制御手段
253  ボーナス遊技状態制御手段       260  有利区間制御手段
270  送信手段
300  サブ制御基板                   310  受信手段
320  演出制御手段
【図１】
2020036757.tif 000003
【図２】
2020036757.tif 000004
【図３】
2020036757.tif 000005
【図４】
2020036757.tif 000006
【図５】
2020036757.tif 000007
【図６】
2020036757.tif 000008
【図７】
2020036757.tif 000009
【図８】
2020036757.tif 000010
【図９】
2020036757.tif 000011
【図１０】
2020036757.tif 000012
【図１１】
2020036757.tif 000013
【図１２】
2020036757.tif 000014
【図１３】
2020036757.tif 000015
【図１４】
2020036757.tif 000016
【図１５】
2020036757.tif 000017
【図１６】
2020036757.tif 000018
【図１７】
2020036757.tif 000019
【図１８】
2020036757.tif 000020